(57)【要約】【課題】位置ずれを防止できる電子機器の製造方法及び電子機器を提供すること。【解決手段】電子機器は、装置本体と筐体とを備える。装置本体は、回路基板と、第１フレーム及び第２フレームとを備え、筐体は、第１筐体と第２筐体とを備える。第１フレームには、第１ピン及び第２ピンが設けられ、第２フレーム及び回路基板には、第１ピンが挿通する孔部がそれぞれ形成され、第１筐体には、第２ピンが嵌合する嵌合穴が形成されている。当該電子機器の製造方法は、第１ピンを孔部に挿通させて、回路基板を第１フレームに位置決めする基板位置決め工程Ｓ０２と、第１ピンを孔部に挿通させて、第２フレームを第１フレームに位置決めする第２フレーム位置決め工程Ｓ０３と、第２ピンを嵌合穴に嵌合させて、第１フレームを第１筐体に位置決めする第１フレーム位置決め工程Ｓ０５，Ｓ０６と、第１筐体に第２筐体を取り付ける第２筐体取付工程Ｓ１２とを有する。【選択図】図２６
2008077435.tif 000002
【特許請求の範囲】
【請求項１】
所定の処理を実行する機器本体と、当該機器本体を内部に収納する筐体とを備えた電子機器の製造方法であって、
前記機器本体は、
前記処理を実行する回路基板と、
前記回路基板を挟んで覆う第１フレーム及び第２フレームとを備え、
前記筐体は、
前記機器本体を収納する開口を有する第１筐体と、
前記開口を閉塞する第２筐体とを備え、
前記第１フレームには、第１ピン及び第２ピンが設けられ、
前記第２フレーム及び前記回路基板には、前記第１ピンが挿通する孔部がそれぞれ形成され、
前記第１筐体には、前記第２ピンが嵌合する嵌合穴が形成され、
当該電子機器の製造方法は、
前記第１ピンを前記回路基板の前記孔部に挿通させて、当該回路基板を前記第１フレームに位置決めする基板位置決め工程と、
前記第１ピンを前記第２フレームの前記孔部に挿通させて、当該第２フレームを前記第１フレームに位置決めする第２フレーム位置決め工程と、
前記第２ピンを前記嵌合穴に嵌合させて、前記第１フレームを前記第１筐体に位置決めする第１フレーム位置決め工程と、
前記第１筐体に、前記第２筐体を取り付ける第２筐体取付工程とを有することを特徴とする電子機器の製造方法。
【請求項２】
請求項１に記載の電子機器の製造方法において、
前記第１フレームの端部には、前記回路基板及び前記第２フレームのそれぞれの端部に当接する当接部が形成され、
前記第１ピンは、前記当接部とは反対側の端部に形成され、
前記基板位置決め工程では、前記回路基板の端部を前記当接部に当接させ、当該端部を軸として前記回路基板を回動させて前記第１フレームに位置決めし、
前記第２フレーム位置決め工程では、前記第２フレームの端部を前記当接部に当接させ、当該端部を軸として前記第２フレームを回動させて前記第１フレームに位置決めすることを特徴とする電子機器の製造方法。
【請求項３】
請求項２に記載の電子機器の製造方法において、
前記第１フレームにおける前記当接部と前記第１ピンとの間には、前記回路基板に対向する側に向かって起立し、前記回路基板及び前記第２フレームのうち少なくともいずれかの位置決めを案内する起立部が形成されていることを特徴とする電子機器の製造方法。
【請求項４】
請求項３に記載の電子機器の製造方法において、
前記起立部は、前記当接部から前記第１ピンに向う方向に略直交する方向における前記第１フレームの両端にそれぞれ形成され、
前記回路基板及び前記第２フレームの少なくともいずれかには、前記各起立部に応じた位置に切欠が形成され、
前記切欠が形成された前記回路基板及び前記第２フレームの少なくともいずれかが前記第１フレームに位置決めされる際に、前記切欠は前記各起立部により挟まれることを特徴とする電子機器の製造方法。
【請求項５】
請求項１から請求項４のいずれかに記載の電子機器の製造方法において、
前記第１ピンは、所定の間隔を隔てて複数設けられ、
前記回路基板及び前記第２フレームには、前記孔部が前記第１ピンに応じて複数形成されていることを特徴とする電子機器の製造方法。
【請求項６】
請求項１から請求項５のいずれかに記載の電子機器の製造方法において、
前記第２ピンは、前記第１ピンとは突出方向が反対であり、
前記第２フレーム位置決め工程では、前記第１ピンに前記第２フレームの前記孔部が上方から挿通するように、前記第１フレームに対して前記第２フレームを位置決めし、
前記第１フレーム位置決め工程は、
前記第２ピンの突出方向が上方を向くように前記第１フレームを反転させる第１フレーム反転手順と、
反転させた前記第１フレームの前記第２ピンが前記嵌合穴に嵌合するように、当該第１フレームに前記第１筐体を覆い被せる第１筐体被覆手順とを有することを特徴とする電子機器の製造方法。
【請求項７】
請求項１から請求項６のいずれかに記載の電子機器の製造方法において、
前記機器本体は、前記第１フレームに形成された開口を介して前記回路基板に当接し、当該回路基板から伝導された熱を冷却する冷却手段を備え、
前記冷却手段及び前記第１フレームのいずれか一方には、他方に対向する側に複数の位置決めピンが設けられ、他方には、前記位置決めピンが挿入されるピン挿入口が形成され、
当該電子機器の製造方法は、
前記位置決めピンを前記ピン挿入口に挿通して、前記冷却手段と、前記第１フレームとを位置決めする冷却手段位置決め工程を有することを特徴とする電子機器の製造方法。
【請求項８】
請求項７に記載の電子機器の製造方法において、
前記機器本体は、
前記回路基板に対して前記冷却手段とは反対側に設けられ、前記第１フレームに形成された開口を介して露出する前記回路基板に前記冷却手段を押圧する付勢板と、
前記付勢板を前記冷却手段に取り付ける取付部材とを備え、
前記第１フレーム、前記回路基板及び前記第２フレームには、前記取付部材が挿通する孔部がそれぞれ形成され、
前記冷却手段には、前記取付部材を係止する係止部が設けられ、
当該電子機器の製造方法は、
前記冷却手段位置決め工程及び前記第２フレーム位置決め工程の後、前記付勢板、前記第２フレーム、前記回路基板及び前記第１フレームを介して前記取付部材を前記係止部に係止させ、前記冷却手段及び前記付勢板が、前記第１フレーム、前記回路基板及び前記第２フレームを挟持するように、前記冷却手段を取り付ける冷却手段取付工程を有することを特徴とする電子機器の製造方法。
【請求項９】
請求項１から請求項８に記載の電子機器の製造方法において、
前記第１フレーム及び前記第２フレームには、前記回路基板に対向する側とは反対側に没入した凹部が形成され、
前記第１フレーム及び前記第２フレームは、前記回路基板に応じた寸法で形成され、前記凹部の端縁で、前記回路基板に当接することを特徴とする電子機器の製造方法。
【請求項１０】
所定の処理を実行する機器本体と、当該機器本体を内部に収納する筐体とを備えた電子機器であって、
前記筐体は、
前記機器本体を収納する開口を有する第１筐体と、
前記開口を閉塞する第２筐体とを備え、
前記機器本体は、
前記処理を実行する回路基板と、
前記回路基板を挟んで覆う第１フレーム及び第２フレームとを備え、
前記第１フレームには、一方の端部に、前記回路基板及び前記第２フレームのそれぞれの端部に当接する当接部が設けられ、他方の端部には、第１ピン及び第２ピンが設けられ、
前記第１フレームにおける前記当接部から前記第１ピンに向かう方向に略直交する方向の端部には、前記回路基板に対向する側に向かって起立する起立部が形成され、
前記回路基板及び前記第２フレームには、前記第１ピンが挿通する孔部が形成され、
前記回路基板及び前記第２フレームには、前記当接部に係合する係合部が設けられ、
前記第１筐体には、前記第２ピンが嵌合する嵌合穴が形成されていることを特徴とする電子機器。
【発明の詳細な説明】
【技術分野】
【０００１】
本発明は、所定の処理を実行する機器本体、及び、当該機器本体を内部に収納する筐体とを備えた電子機器の製造方法及び当該電子機器に関する。
【背景技術】
【０００２】
従来、ＣＰＵ（Central Processing Unit）等の集積回路を備えた情報処理装置が知られている。このような情報処理装置として、所定の演算処理を実行するパーソナルコンピュータ（Personal Computer，ＰＣ）や、ＣＤ（Compact Disc）、ＤＶＤ（Digital Versatile Disc）及びＢＤ（Blu-ray Disc；登録商標）等の光ディスクなどの記録媒体、及び、半導体メモリカードやＨＤＤ（Hard Disk Drive）等の記憶媒体に記録または記憶された画像及び音声情報を再生するディスク再生装置が知られている。
【０００３】
このようなディスク再生装置として、光ディスクに記録されているゲームプログラムを読み出して、使用者が操作するコントローラからの指示に応じて、当該ゲームプログラムを実行するエンタテインメント装置が知られている（例えば、特許文献１参照）。
この特許文献１に記載のエンタテインメント装置は、電子部品等を有する装置本体と、当該装置本体を収容する筐体とを備えている。このうち、装置本体は、ＣＰＵ等が実装された回路基板と、当該回路基板の表裏面を被覆する一対のシールド板と、一方のシールド板の上面側に載置されるディスク装置とを備えている。また、筐体は、装置本体を収納するための開口を有するロアーケースと、当該開口を閉塞するアッパーケースとを備えて構成されている。
【０００４】
このエンタテインメント装置の組立手順としては、開口を介してロアーケースの内部に一方のシールド板、回路基板、他方のシールド板及びディスク装置をそれぞれ積層配置し、ロアーケースの開口を閉塞するようにアッパーケースを係合させる。ここで、ロアーケースの底面には突起が形成されており、当該突起が、一方のシールド板、回路基板及び他方のシールド板を挿通するように、これらをロアーケース内に配置する。この後、これらを反転させて、ロアーケースの底面を上向きにした後、当該ロアーケースに形成された挿入孔に固定ねじを挿入して、当該固定ねじをアッパーケースに形成された雌ねじ孔に螺合させる。このようにして、アッパーケースとロアーケースとが組み合わさるが、この際、ロアーケースに形成された板状リブや突起が、回路基板及び一対のシールド板を押さえ付けるとともに、当該板状リブの側面がシールド板と当接する。これにより、筐体の反転動作を行っても、内部の構成部材が筐体内部で動くことを抑えることができる。
【０００５】
【特許文献１】特開２００１−３２０１８１号公報
【発明の開示】
【発明が解決しようとする課題】
【０００６】
しかしながら、特許文献１に記載のエンタテインメント装置では、ロアーケースに対して、一対シールド板及び回路基板を位置決めするので、回路基板と一対のシールド部材との間に位置ずれが生じる可能性がある。
ここで、回路基板上には、前述のＣＰＵの他に、チップセット等の集積回路が数多く実装されている場合が多く、このような回路基板と、当該回路基板を挟むように配置されるシールド板とが位置ずれを起こすと、これら集積回路にシールド板が当たる可能性がある。このため、集積回路とシールド部材との間に緩衝部材等を設ける必要が生じるため、構成が複雑化するという問題がある。従って、回路基板と当該回路基板を挟む部材との位置ずれを防止できる方法が要望されてきた。
【０００７】
本発明の目的は、回路基板と、当該回路基板を挟む部材との位置ずれが生じることを防ぐことができる電子機器の製造方法及び電子機器を提供することである。
【課題を解決するための手段】
【０００８】
前記した目的を達成するために、本発明の電子機器の製造方法は、所定の処理を実行する機器本体と、当該機器本体を内部に収納する筐体とを備えた電子機器の製造方法であって、前記機器本体は、前記処理を実行する回路基板と、前記回路基板を挟んで覆う第１フレーム及び第２フレームとを備え、前記筐体は、前記機器本体を収納する開口を有する第１筐体と、前記開口を閉塞する第２筐体とを備え、前記第１フレームには、第１ピン及び第２ピンが設けられ、前記第２フレーム及び前記回路基板には、前記第１ピンが挿通する孔部がそれぞれ形成され、前記第１筐体には、前記第２ピンが嵌合する嵌合穴が形成され、当該電子機器の製造方法は、前記第１ピンを前記回路基板の前記孔部に挿通させて、当該回路基板を前記第１フレームに位置決めする基板位置決め工程と、前記第１ピンを前記第２フレームの前記孔部に挿通させて、当該第２フレームを前記第１フレームに位置決めする第２フレーム位置決め工程と、前記第２ピンを前記嵌合穴に嵌合させて、前記第１フレームを前記第１筐体に位置決めする第１フレーム位置決め工程と、前記第１筐体に、前記第２筐体を取り付ける第２筐体取付工程とを有することを特徴とする。
【０００９】
本発明によれば、まず、基板位置決め工程にて、第１フレームに回路基板を位置決めする。この際、第１フレームに設けられた第１ピンに、回路基板の孔部を挿通させるようにして位置決めすることで、第１フレームと回路基板との位置ずれを防ぐことができる。この後、第２フレーム位置決め工程にて、第１ピンに第２フレームの孔部を挿通させるようにして、当該第２フレームを第１フレームに対して位置決めする。これにより、第１フレーム及び回路基板と、第２フレームとの位置ずれを防ぐことができる。次に、第１フレーム位置決め工程にて、第１フレームに設けられた第２ピンを第１筐体に形成された嵌合穴に嵌合させ、当該第１フレームを第１筐体に位置決めする。これにより、第１フレームと第１筐体との位置ずれを防止でき、ひいては、回路基板及び第２フレームと、第１筐体との位置ずれを防止できる。そして、第２筐体取付工程にて、第２筐体を第１筐体に取り付けることで、電子機器を製造することができる。
【００１０】
これによれば、第１筐体に対して位置決めされる第１フレームに、回路基板及び第２フレームが位置決めされるので、第１フレームに対する回路基板及び第２フレームの位置ずれを防止することができる。
また、このように第１フレームに対して回路基板及び第２フレームを位置決めした後に、当該第１フレームを第１筐体に位置決めすることにより、第１フレーム、回路基板及び第２フレームを筐体内の適切な位置に位置決めすることができる。従って、筐体内での各部材の位置ずれを防ぐことができ、各部材の干渉を防ぐことができる。
【００１１】
本発明では、前記第１フレームの端部には、前記回路基板及び前記第２フレームのそれぞれの端部に当接する当接部が形成され、前記第１ピンは、前記当接部とは反対側の端部に形成され、前記基板位置決め工程では、前記回路基板の端部を前記当接部に当接させ、当該端部を軸として前記回路基板を回動させて前記第１フレームに位置決めし、前記第２フレーム位置決め工程では、前記第２フレームの端部を前記当接部に当接させ、当該端部を軸として前記第２フレームを回動させて前記第１フレームに位置決めすることが好ましい。
【００１２】
本発明によれば、第１フレームの一方の端部に形成された当接部と、他方の端部に設けられた第１ピンとにより、回路基板及び第２フレームが第１フレームに対して位置決めされるので、これら回路基板及び第２フレームの位置ずれを確実に防止することができる。
また、回路基板及び第２フレームは、第１フレームの当接部に当接する端部を軸として回動させ、当該第１フレームを覆うように位置決めされるので、これら回路基板及び第２フレームの位置決め工程を簡易に行うことができる。
従って、回路基板及び第２フレームの位置決め工程を簡略化することができるとともに、これらの位置ずれを確実に防止することができる。
【００１３】
本発明では、前記第１フレームにおける前記当接部と前記第１ピンとの間には、前記回路基板に対向する側に向かって起立し、前記回路基板及び前記第２フレームのうち少なくともいずれかの位置決めを案内する起立部が形成されていることが好ましい。
【００１４】
本発明によれば、第１フレームの当接部に回路基板及び第２フレームを当接させ、回動させるようにして第１フレームに位置決めする際に、第１フレームの起立部により、当該回路基板及び第２フレームの少なくともいずれかの回動を案内することができる。従って、第１フレームに対する回路基板及び第２フレームの少なくともいずれの位置決め工程を、より一層簡略化することができる。
【００１５】
本発明では、前記起立部は、前記当接部から前記第１ピンに向う方向に略直交する方向における前記第１フレームの両端にそれぞれ形成され、前記回路基板及び前記第２フレームの少なくともいずれかには、前記各起立部に応じた位置に切欠が形成され、前記切欠が形成された前記回路基板及び前記第２フレームの少なくともいずれかが前記第１フレームに位置決めされる際に、前記切欠は前記各起立部により挟まれることが好ましい。
【００１６】
本発明によれば、第１フレームの両端に形成された起立部により、切欠が挟まれるので、当該切欠が形成された回路基板及び第２フレームの少なくともいずれかを、第１フレーム上の適切な位置に確実に位置決めすることができる。また、当該回路基板及び第２フレームを位置決めした際に、切欠が起立部によって挟まれることにより、第１フレーム上での揺動を抑えることができるので、当該回路基板及び第２フレームの少なくともいずれかに第１フレームに対する位置ずれを一層確実に防止することができる。従って、回路基板及び第２フレームの位置決め工程の簡略化を図ることができるとともに、これらの位置ずれを一層確実に防止することができる。
【００１７】
本発明では、前記第１ピンは、所定の間隔を隔てて複数設けられ、前記回路基板及び前記第２フレームには、前記孔部が前記第１ピンに応じて複数形成されていることが好ましい。
本発明によれば、第１ピンが第１フレームに複数形成され、当該第１ピンに応じて、孔部が回路基板及び第２フレームに複数形成されている。これによれば、回路基板及び第２フレームを、第１フレーム上の複数箇所で位置決めすることができ、第１フレーム上での回路基板及び第２フレームの揺動を一層抑制することができる。従って、回路基板及び第２フレームと第１フレームとの位置ずれをより一層確実に防止することができる。
【００１８】
本発明では、前記第２ピンは、前記第１ピンとは突出方向が反対であり、前記第２フレーム位置決め工程では、前記第１ピンに前記第２フレームの前記穴部が上方から挿通するように、前記第１フレームに対して前記第２フレームを位置決めし、前記第１フレーム位置決め工程は、前記第２ピンの突出方向が上方を向くように前記第１フレームを反転させる第１フレーム反転手順と、反転させた前記第１フレームの前記第２ピンが前記嵌合穴に嵌合するように、当該第１フレームに前記第１筐体を覆い被せる第１筐体被覆手順とを有することが好ましい。
【００１９】
本発明によれば、第１フレーム反転手順にて、回路基板及び第２フレームが位置決めされた第１フレームを反転させることにより、第１筐体被覆手順にて、第１フレームを第１筐体に位置決めする際に、第１ピンとは反対方向に突出した第２ピンを、第１筐体の嵌合穴に嵌合させやすくすることができる。従って、第１フレーム位置決め工程を簡略化することができる。
【００２０】
本発明では、前記機器本体は、前記第１フレームに形成された開口を介して前記回路基板に当接し、当該回路基板から伝導された熱を冷却する冷却手段を備え、前記冷却手段及び前記第１フレームのいずれか一方には、他方に対向する側に複数の位置決めピンが設けられ、他方には、前記位置決めピンが挿入されるピン挿入口が形成され、当該電子機器の製造方法は、前記位置決めピンを前記ピン挿入口に挿通して、前記冷却手段と、前記第１フレームとを位置決めする冷却手段位置決め工程を有することが好ましい。
【００２１】
ここで、回路基板にＣＰＵ等の集積回路が設けられている場合、集積回路は、一般的に発熱体となる一方で熱に弱いため、当該集積回路を効率よく冷却する必要がある。
これに対し、本発明では、回路基板で発生した熱が伝導し、当該熱を冷却する冷却手段が設けられていることにより、適切に回路基板を冷却することができ、回路基板における処理の安定化を図ることができる。
また、冷却手段及び第１フレームのいずれか一方には、孔部が形成され、他方には、当該孔部を挿通する位置決めピンが設けられている。従って、冷却手段位置決め工程における冷却手段と第１フレームとの位置決めを容易に行うことができるとともに、当該冷却手段と第１フレームとの位置ずれを防止することができる。
【００２２】
本発明では、前記機器本体は、前記機器本体は、前記回路基板に対して前記冷却手段とは反対側に設けられ、前記第１フレームに形成された開口を介して露出する前記回路基板に前記冷却手段を押圧する付勢板と、前記付勢板を前記冷却手段に取り付ける取付部材とを備え、前記第１フレーム、前記回路基板及び前記第２フレームには、前記取付部材が挿通する孔部がそれぞれ形成され、前記冷却手段には、前記取付部材を係止する係止部が設けられ、当該電子機器の製造方法は、前記冷却手段位置決め工程及び前記第２フレーム位置決め工程の後、前記付勢板、前記第２フレーム、前記回路基板及び前記第１フレームを介して前記取付部材を前記係止部に係止させ、前記冷却手段及び前記付勢板が、前記第１フレーム、前記回路基板及び前記第２フレームを挟持するように、前記冷却手段を取り付ける冷却手段取付工程を有することが好ましい。
【００２３】
このような取付部材として、ねじ、ボルト及びビス等の固定具を例示することができる。
本発明によれば、付勢板、第２フレーム、回路基板及び第１フレームを介して、取付部材が係止部に係止されることにより、これら第１フレーム、回路基板及び第２フレームと、冷却手段とを一体的に構成することができる。これにより、機器本体を容易に取り扱うことができるので、前述の第１フレーム位置決め工程等の電子機器の製造工程を簡略化することができる。
また、付勢板により回路基板が冷却手段に押圧されるので、回路基板で生じた熱の冷却手段への伝導効率を向上することができる。従って、回路基板の冷却を効率よく行うことができる。
【００２４】
さらに、第１フレーム、回路基板及び第２フレームは、付勢板と冷却手段とによって挟持される。これによれば、第１フレーム、回路基板及び第２フレームのいずれかに冷却手段が固定される場合に、冷却手段の荷重によって当該冷却手段が固定された部材に反り等の変位が発生することを防ぐことができるとともに、回路基板に冷却手段を適切に押圧することができる。従って、これらによって一体化した機器本体を安定して維持することができるとともに、冷却手段による回路基板の冷却効率を一層向上することができる。
【００２５】
本発明では、前記第１フレーム及び前記第２フレームには、前記回路基板に対向する側とは反対側に没入した凹部が形成され、前記第１フレーム及び前記第２フレームは、前記回路基板に応じた寸法で形成され、前記凹部の端縁で、前記回路基板に当接することが好ましい。
【００２６】
本発明によれば、回路基板を挟む第１フレーム及び第２フレームにそれぞれ凹部が形成されている。これによれば、回路基板を各凹部によって形成される空間内に配置することで、回路基板に実装された集積回路等が、第１フレーム及び第２フレームに直接当接することを確実に防止することができるほか、第１フレーム及び第２フレームの薄型化を図ることができる。従って、機器本体の小型化を図ることができる。
また、回路基板は、第１フレーム及び第２フレームの端縁で当接することにより、当該回路基板を流れる電流によって生じる輻射ノイズを、第１フレーム及び第２フレームに導通させることができる。従って、電子機器のＥＭＩ（Electro Magnetic Interference、電磁干渉）対策を施すことができる。
【００２７】
また、本発明の電子機器は、所定の処理を実行する機器本体と、当該機器本体を内部に収納する筐体とを備えた電子機器であって、前記筐体は、前記機器本体を収納する開口を有する第１筐体と、前記開口を閉塞する第２筐体とを備え、前記機器本体は、前記処理を実行する回路基板と、前記回路基板を挟んで覆う第１フレーム及び第２フレームとを備え、前記第１フレームには、一方の端部に、前記回路基板及び前記第２フレームのそれぞれの端部に当接する当接部が設けられ、他方の端部には、第１ピン及び第２ピンが設けられ、前記第１フレームにおける前記当接部から前記第１ピンに向かう方向に略直交する方向の端部には、前記回路基板に対向する側に向かって起立する起立部が形成され、前記回路基板及び前記第２フレームには、前記第１ピンが挿通する孔部が形成され、前記回路基板及び前記第２フレームには、前記当接部に係合する係合部が設けられ、前記第１筐体には、前記第２ピンが嵌合する嵌合穴が形成されていることを特徴とする。
【００２８】
本発明によれば、前述の電子機器の製造方法と同様の効果を奏することができる。
すなわち、第１フレームに設けられた当接部と、当該当接部に係合する回路基板及び第２フレームの係合部との接点を軸として、第１フレームを覆うように回路基板及び第２フレームを回動させ、当該回路基板に形成された孔部に第１ピンを挿通させることで、第１フレームに回路基板が位置決めされる。この際、第１フレームに設けられた起立部により、回路基板及び第２フレームの回動時に、当該回路基板及び第２フレームの端部が揃えられ、第１フレームに対する適切な位置に回路基板及び第２フレームが案内されるだけでなく、当該第１フレーム上での回路基板及び第２フレームの揺動が抑えられる。
これによれば、第１フレームの当接部、第１ピン及び起立部により、回路基板及び第２フレームを挟むことができるので、当該第１フレームに対する適切な位置で回路基板及び第２フレームを位置決めすることができるだけでなく、第１フレームを基準として回路基板及び第２フレームのそれぞれの位置ずれを抑えることができる。
また、このようにして回路基板及び第２フレームが位置決めされた第１フレームの第２ピンが、第１筐体に形成された嵌合穴に嵌合することで、第１フレームを第１筐体に位置決めすることができる。従って、電子機器を構成する各部材の互いの位置ずれを抑えることができる。
【発明を実施するための最良の形態】
【００２９】
以下、本発明の一実施形態を図面に基づいて説明する。
（１）情報処理装置１の構成
図１は、本実施形態に係る情報処理装置１を正面側から見た斜視図であり、図２は、蓋部材２３を開放した状態の情報処理装置１を正面側から見た斜視図である。
本実施形態の情報処理装置１は、使用者が操作するコントローラ（図示略）からの指示に応じて、あるいは自動で、ＣＤ、ＤＶＤ及びＢＤ等の光ディスク等の記録媒体や、各種半導体メモリカード及びＨＤＤ（Hard Disk Drive）等の記憶媒体に記録または記憶された情報、並びに、接続されたネットワークから情報を取得し、当該取得情報に含まれる画像情報及び音声情報を再生するほか、当該取得情報に含まれるプログラムを実行する電子機器である。また、この情報処理装置１は、使用する光ディスクの種類によっては、当該光ディスクに対する情報の記録を行うことができるほか、装着された半導体メモリカード及びＨＤＤ等の記憶媒体への情報の記録を行うことができるように構成されている。このような情報処理装置１は、図示を省略するが、テレビジョン受像機等の画像表示装置と電気的に接続されており、コントローラを使用者が操作することにより、使用者の操作に応じた所定の処理を行い、当該処理結果から画像信号及び音声信号を当該画像表示装置に出力する。
この情報処理装置１は、外装筐体２（図１〜図６）と、当該外装筐体２内に収納される装置本体３（図７〜図９）とを備えて構成されている。
【００３０】
（２）外装筐体２の構成
外装筐体２は、図１及び図２に示すように、全体略楕円柱状を有している。このような外装筐体２は、化粧板２４が取り付けられる上部筐体２１と、下部筐体２２とから構成されている。
【００３１】
（2-1）上部筐体２１の構成
上部筐体２１は、本発明の第２筐体に相当し、円弧状の湾曲部分を有する箱型形状に形成され、下部筐体２２と組み合わされてねじ固定される。この上部筐体２１には、正面部２１１（図１、図２及び図４）、上面部２１２（図３及び図４）及び側面部２１３（図１、図２及び図４），２１４（図３）が形成されている。
【００３２】
正面部２１１は、図１及び図２において示す手前側の面であり、当該正面部２１１の略中央及び左端には、面外方向に突出する突出部２１１１，２１１２が設けられている。これら突出部２１１１，２１１２に挟まれた領域には、カードスロット部２１１３が形成されており、当該カードスロット部２１１３には、図２に示すように、各種半導体メモリカード（以下、「メモリカード」と略す場合がある）を挿抜可能な３つの開口２１１３１が形成されている。これら開口２１１３１を介して、外装筐体２内に設けられた後述するリーダライタ３５１の各種メモリカードに対応する挿入部が露出する。
【００３３】
これら突出部２１１１，２１１２及びカードスロット部２１１３が形成された領域には、当該突出部２１１１，２１１２及びカードスロット部２１１３を覆う蓋部材２３が回動自在に設けられている。この蓋部材２３は、正面部２１１の長手方向に沿った回動軸を有し、当該回動軸を中心として上方に回動することにより、カードスロット部２１１３を開放し、下方に回動することにより、カードスロット部２１１３を閉塞する。
【００３４】
正面部２１１の右側には、直径１２ｃｍの光ディスクに対応したディスク挿入口２１１４が正面部２１１の長手方向に沿って形成されている。このディスク挿入口２１１４に挿入された光ディスクは、後述する装置本体３を構成するディスクユニット３３に挿入される。
さらに、図１及び図２における右側の側面部２１３には、外装筐体２内に収納された装置本体３を冷却する冷却空気を、当該外装筐体２外から吸気する複数の吸気口２１３１が形成されている。
【００３５】
図３は、化粧板２４をずらした状態の情報処理装置１を背面側から見た斜視図であり、図４は、化粧板２４を外した状態の情報処理装置１を正面側から見た斜視図である。
上部筐体２１の上面部２１２には、図３に示すように、当該上面部２１２を覆う化粧板２４が摺動自在に取り付けられている。この化粧板２４は、上面部２１２の湾曲形状に沿うように形成され、当該上面部２１２の長手方向に沿って摺動させることにより、上面部２１２に取り付けられる。
【００３６】
このような化粧板２４を取り外すと、図４に示すように、上面部２１２に形成された一対の溝部２１２１、複数の係合部２１２２及び複数のねじ挿入口２１２３が露出する。
このうち、溝部２１２１は、上面部２１２の短手方向の両端において、当該上面部２１２の長手方向に沿って形成され、化粧板２４の上面部２１２に沿った摺動を案内する。係合部２１２２は、化粧板２４の裏面（上面部２１２と対向する面）に突設され、かつ、略鉤状を有する係止部（図示省略）と係合して、上面部２１２から化粧板２４が外れることを防止する。ねじ挿入口２１２３には、上部筐体２１と装置本体３とを固定するねじが挿入される。
また、側面部２１４の長手方向両端には、図３に示すように、ゴム等により形成された脚部２１４１が設けられている。
【００３７】
（2-2）下部筐体２２の構成
下部筐体２２は、本発明の第１筐体に相当し、図１及び図２に示すように、直方体と半円柱とを組み合わせた形状を有し、半円柱状部分を向い合わせるように前述の上部筐体２１と組み合わさる。
この下部筐体２２は、上部筐体２１と対向する側に、後述する装置本体３を収納するための開口２２Ａ（図６）を有し、当該下部筐体２２には、正面部２２１（図１及び図２）、側面部２２２（図１及び図２），２２３（図３）、背面部２２４（図３）、底面部２２５（図５）及び内面部２２６（図６）が形成されている。なお、開口２２Ａは、前述の上部筐体２１により閉塞される。
【００３８】
正面部２２１（図１及び図２における手前側の部分）の左側には、４つの略矩形状を有する開口２２１１が形成されている。これら開口２２１１を介して、装置本体３を構成する制御基板５（図１８及び図１９）に設けられ、かつ、ＵＳＢ（Universal Serial Bus）規格に準拠したＡ端子を接続可能な端子がそれぞれ露出する。また、正面部２２１における開口２２１１の右側には、略矩形を有する複数の吸気口２２１２が形成され、当該吸気口２２１２を介して、外装筐体２外の空気が、内部に導入される。
さらに、正面部２２１における延出部分の下面には、外装筐体２外の空気を導入する吸気口２２１３（図５）が形成されている。
【００３９】
また、図１及び図２における右側の側面部２２２、すなわち、上部筐体２１の側面部２１３に対応する側面部２２２には、後述する第１段差部２２５１（図５）により上方側が突出し、下方側が没入した段差が形成されており、当該段差における側面部２１３の形成方向に沿った面には、装置本体３を冷却した冷却空気が排出される排気口２２２１，２２２２が形成されている。詳述すると、上方側の突出部分の側面に排気口２２２１が形成され、下方側の没入部分の側面に排気口２２２２が形成されている。
このため、外装筐体２における側面部２１３，２２２によって形成される面２Ａには、吸気口２１３１及び排気口２２２１，２２２２が同一の面に形成されていることとなる。
【００４０】
側面部２２３の両端には、図３に示すように、ゴム等により形成された脚部２２３１が設けられている。この側面部２２３に形成された脚部２２３１、及び、上部筐体２１の側面部２１４に形成された脚部２１４１を設置面に当接させるように配置することで、情報処理装置１の縦置きが可能となっている。
また、側面部２２３の略中央には、略矩形状の開口２２３２が形成されており、当該開口２２３２を介して、図示しないＨＤＤ（Hard Disk Drive）ユニットが取り付けられる。この開口２２３２は、当該開口２２３２に応じた形状を有する蓋部材２５により閉塞されている。
さらに、開口２２３２の下方には、側面部２２３の長手方向に沿って複数の吸気口２２３３が形成されている。
【００４１】
背面部２２４には、図３に示すように、外装筐体２内部に収納された制御基板５に設けられた各種端子５９（図１９）が露出する開口２２４１〜２２４４が、当該背面部２２４の長手方向に沿って形成されている。
具体的に、開口２２４１には、ＨＤＭＩ（High-Definition Multimedia Interface）端子を接続可能な端子が露出し、開口２２４２には、ＩＥＥＥ８０２．３ｉに準拠し、１０Ｂａｓｅ−Ｔ及び１００Ｂａｓｅ−ＴＸ等のＬＡＮ（Local Area Network）ケーブルが接続可能な端子が露出する。また、開口２２４３には、ＵＳＢ規格に準拠したＢ端子が接続可能な端子が露出し、開口２２４４には、一端側に映像用の１本の端子及び音声用の２本の端子が設けられた同軸ケーブルの他端側が接続可能な端子が露出する。
【００４２】
さらに、背面部２２４における右端には、主電源をオン／オフする電源スイッチ２２４５が設けられ、当該電源スイッチ２２４５の下方に、電源ケーブル（図示省略）が接続されるインレットコネクタ２２４７が露出する開口２２４６が形成されている。
加えて、背面部２２４における開口２２４１〜２２４４，２２４６が形成された部分、及び、電源スイッチ２２４５が設けられた部分以外の領域には、外装筐体２内の装置本体３を冷却した冷却空気を外部に排出する排気口２２４８が形成されている。
なお、この背面部２２４は、後述する冷却ユニット３２に取り付けられており、当該背面部２２４に形成された排気口２２４８と冷却ユニット３２の吐出口３２８（図２２）とは、当該吐出口３２８に設けられたスポンジ３２８１により接続されている。このため、吐出口３２８から吐出された空気は、漏れなく外装筐体２外に排出される。
【００４３】
図５は、情報処理装置１を下方から見た斜視図である。
下部筐体２２の底面部２２５は、下部筐体２２における上部筐体２１とは反対側の直方体部分の底面に対応する部分である。この底面部２２５には、図５に示すように、下方に突出した２段の第１段差部２２５１及び第２段差部２２５２が形成されている。
詳述すると、第１段差部２２５１は、底面部２２５において、正面部２２１及び側面部２２２側が内側にずれ、かつ、側面部２２３及び背面部２２４（図３）側が面一となるように形成されている。また、第２段差部２２５２は、当該第１段差部２２５１の内側に、正面部２２１及び側面部２２２側が内側にずれ、側面部２２３及び背面部２２４側が面一となるように形成されている。これらのうち、第１段差部２２５１の正面側には、前述の開口２２１１及び吸気口２２１２が形成され、当該第１段差部２２５１の側面には、前述の排気口２２２２が形成されている。
【００４４】
第２段差部２２５２における底面の四隅には、ゴムにより形成された複数の脚部２２５２１が設けられている。これら脚部２２５２１を設置面に当接させるようにして情報処理装置１を配置することで、当該情報処理装置１の横置きが可能となっている。
また、第２段差部２２５２には、側面部２２３に近接する側に、吸気口２２３３（図３）と同様の吸気口２２５２２が、当該底面部２２５の短手方向（側面部２２３に沿う方向）に沿って形成されている。
【００４５】
図６は、下部筐体２２の内面部２２６を示す平面図である。
下部筐体２２の内面部２２６には、前述のように、装置本体３を収納するための開口２２Ａが形成されており、また、詳しい図示を省略したが、当該下部筐体２２の外周に沿って複数のねじ孔が形成されている。これらねじ孔には、下部筐体２２に装置本体３及び上部筐体２２を固定するねじが螺合する。
また、下部筐体２２における正面部２２１側の両端には、嵌合穴２２６１，２２６２が形成されている。これら嵌合穴２２６１，２２６２には、装置本体３の制御ユニット３１を構成する後述するメインフレーム４に設けられたピン４８（４８Ｒ，４８Ｌ）（図１４）が嵌合し、これにより、下部筐体２２に制御ユニット３１が位置決めされる。なお、側面部２２２に近接する側に形成された嵌合穴２２６１は、平面視略長円形状に形成され、側面部２２３に近接する側に形成された嵌合穴２２６２は、略円形状に形成されている。このため、ピン４８Ｒ，４８Ｌと、嵌合穴２２６１，２２６２との位置が製造誤差等により僅かにずれた場合でも、当該嵌合穴２２６１，２２６２にピン４８Ｒ，４８Ｌを嵌合することができる。なお、嵌合穴２２６１には、ピン４８Ｒが嵌合し、嵌合穴２２６２には、ピン４８Ｌが嵌合する。
【００４６】
さらに、内面部２２６には、正面部２２１側に、当該正面部２２１の形成方向（長手方向）に沿って、スポンジ２２６３が設けられている。詳述すると、スポンジ２２６３は、吸気口２２１３が形成された正面部２２１における延出部分の基端側に配置されている。このスポンジ２２６３は、後述する制御ユニット３１が下部筐体２２内に収納された際に、当該制御ユニット３１のメインフレーム４の下面に当接する。そして、このスポンジ２２６３は、吸気口２２１３を介して外装筐体２の外部から導入された冷却空気が、制御ユニット３１の下方に配置された冷却ユニット３２に直接流入することを防いでいる。
【００４７】
また、内面部２２６には、背面部２２４側に、当該背面部２２４に形成された排気口２２４８に対応する位置に、背面部２２４の形成方向（長手方向）に沿って、スポンジ２２６４が設けられている。このスポンジ２２６４は、後述する冷却ユニット３２の吐出口３２８（図２２）の周囲に当接し、当該吐出口３２８と排気口２２４８との密着度を高めている。このため、吐出口３２８から吐出された冷却空気は、排気口２２４８から漏れなく外装筐体２外に排出される。
【００４８】
さらに、内面部２２６において、底面部２２５に形成された第２段差部２２５２（図５）に対応し、側面部２２２に近接する領域には、後述する冷却ユニット３２の吐出口３２７の周囲に設けられたスポンジ３２７１（図２２）が当接する当接部２２６５が形成されている。この当接部２２６５に当該スポンジ３２７１が当接することにより、冷却ユニット３２の吐出口３２７から吐出された冷却空気が、側面部２２２に形成された排気口２２２２（図１）から漏れなく排出される。
【００４９】
（３）装置本体３の構成
図７は、上部筐体２１を外した状態の情報処理装置１を正面側から見た斜視図である。また、図８は、装置本体３を正面側から見た斜視図であり、図９は、装置本体３を示す分解斜視図である。
装置本体３は、本発明の機器本体に相当し、図７に示すように、外装筐体２内に収納されている。この装置本体３は、図７〜図９に示すように、制御ユニット３１（図７〜図９）、冷却ユニット３２（図８及び図９）、ディスクユニット３３（図７〜図９）、電源ユニット３４（図７〜図９）、リーダライタユニット３５（図７〜図９）及び板ばね３６（図９）を備えて構成されている。そして、装置本体３は、これら各ユニット３１〜３５及び板ばね３６が互いにねじ等により固定され、一体的に組み合わさっている。
【００５０】
このうち、ディスクユニット３３は、後述する制御ユニット３１による制御下で、挿入された前述の各種光ディスクに記録された画像、映像及びプログラム等の情報を読出し、当該情報を、制御ユニット３１を構成する制御基板５に出力する。また、ディスクユニット３３は、挿入された光ディスクに対し、前述のような情報の記録を行う。
このディスクユニット３３は、詳しい図示を省略するが、ユニット本体３３１と、当該ユニット本体３３１を内部に収納する金属製の筐体３３２とを備えて構成されている。このうち、筐体３３２の正面には、直径１２ｃｍの光ディスクが挿抜される開口３３２１が形成されている。
【００５１】
電源ユニット３４は、装置本体３に駆動電力を供給するものである。具体的に、電源ユニット３４は、外装筐体２に設けられたインレットコネクタ２２４７（図３）に入力した商用交流電流を直流変換し、装置本体３を構成する各電子部品に応じた電圧に昇圧及び減圧して、当該各電子部品に供給する。この電源ユニット３４は、制御ユニット３１を構成する後述する制御基板５に設けられた電源ピン５７１（図１８）と接続され、当該制御基板５を介して、各電子部品に駆動電力を供給する。
【００５２】
リーダライタユニット３５は、後述する制御基板５による制御下で、前述の上部筐体２１のカードスロット部２１１３に形成された各開口２１１３１を介して挿入された各種メモリカードに対する情報の読出及び記憶を実行する。このリーダライタユニット３５は、メモリカードが挿抜されるリーダライタ３５１と、当該リーダライタ３５１の動作を制御する基板３５２とを備えて構成されている。このうち、基板３５２には、制御基板５から制御信号が入力し、当該制御信号に応じた動作をリーダライタ３５１に実行させる。このようなリーダライタユニット３５は、後述する制御ユニット３１を構成するサブフレーム６上に支持固定される。
【００５３】
（４）制御ユニット３１の構成
図１０及び図１１は、制御ユニット３１を上方及び下方から見た斜視図である。また、図１２は、制御ユニット３１及び冷却ユニット３２を示す分解斜視図である。
制御ユニット３１は、装置本体３、ひいては、情報処理装置１の駆動を制御するユニットである。この制御ユニット３１は、図１０〜図１２に示すように、メインフレーム４と、制御基板５と、サブフレーム６とを備えて構成されており、制御基板５及びサブフレーム６は、メインフレーム４に対して位置決めされる。
【００５４】
（4-1）メインフレーム４の構成
図１３及び図１４は、メインフレーム４を上方及び下方から見た斜視図である。
メインフレーム４は、後述するサブフレーム６とともに制御基板５を挟持し、後述する冷却ユニット３２に接続されるフレーム部材であり、本発明の第１フレームに相当する。このメインフレーム４は、平面視略長方形状を有する平板状に形成され、放熱及びＥＭＩ（Electro Magnetic Interference、電磁干渉）を考慮してアルミ等の金属により形成されている。また、メインフレーム４の中央には、図１３に示すように、下面側、すなわち、制御基板５に対向する側とは反対側に没入した凹部４０が形成されている。この凹部４０と後述するサブフレーム６の凹部６０とにより形成される空間内に制御基板５が収納配置され、メインフレーム４は、当該メインフレーム４に取り付けられる制御基板５上に配設された各種チップが押圧されないように形成されている。さらに、メインフレーム４には、複数の略円形状の孔が形成されており、当該孔は、メインフレーム４を軽量化するとともに、当該メインフレーム４とサブフレーム６とに挟持される制御基板５に冷却空気を通風させる。
【００５５】
この凹部４０が形成された領域における背面側（図１３及び図１４における上方側）と、右側（図１３における右側であり、図１４における左側であり、外装筐体２の側面部２１３，２２２に近接する側）には、それぞれ２つずつ計４つのピン挿入口４０１が形成されている。詳述すると、メインフレーム４の背面側に形成された２つのピン挿入口４０１は、それぞれメインフレーム４の長手方向に沿って形成され、また、右側に形成された２つのピン挿入口４０１は、それぞれメインフレーム４の短手方向に沿って形成されている。これらピン挿入口４０１には、メインフレーム４を後述する冷却ユニット３２上に位置決めする際に、当該冷却ユニット３２に形成された位置決めピン３２９が挿通する。
【００５６】
メインフレーム４には、略中央に平面視略矩形状の開口４１（図１３における左側），４２（図１３における右側）が並列するように形成されている。これら開口４１，４２は、後述する制御基板５に配設されたＣＰＵ（Central Processing Unit）５１及びＧＰＵ（Graphics Processing Unit）５２に対応する位置に形成され、当該ＣＰＵ５１及びＧＰＵ５２は、開口４１，４２を介して、メインフレーム４の下面側に露出する。この開口４１，４２の対向する二辺には、下方に延出する延出部４１１，４２１が形成されており、当該延出部４１１，４２１には、それぞれ開口４１，４２から露出するＣＰＵ５１及びＧＰＵ５２に当接する冷却ユニット３２の後述する受熱ブロック３２５を挟持する挟持片４Ａが設けられている。
【００５７】
図１５及び図１６は、挟持片４Ａを正面側及び背面側から見た斜視図である。また、図１７は、メインフレーム４の開口４１周辺を示す斜視図である。
挟持片４Ａは、図１５及び図１６に示すように、断面視略Ｕ字状を有する金属性部材であり、前述のように、メインフレーム４の延出部４１１，４２１にそれぞれ取り付けられる。この挟持片４Ａは、制御ユニット３１に後述する冷却ユニット３２が取り付けられた際に、メインフレーム４の開口４１，４２に応じた冷却ユニット３２の位置に設けられた受熱ブロック３２５（図２３）を挟持する。具体的に、開口４１の端縁に形成された一対の延出部４１１にそれぞれ設けられた各挟持片４Ａは、当該開口４１内に配置される受熱ブロック３２５Ｃを側方から挟持し、開口４２の端縁に形成された一対の延出部４１１にそれぞれ設けられた各挟持片４Ａは、当該開口４２内に配置される受熱ブロック３２５Ｇを側方から挟持する。
【００５８】
この挟持片４Ａには、受熱ブロック３２５に当接する正面部４Ａ１、及び、延出部４１１，４２１に当接する背面部４Ａ２が形成されている。
正面部４Ａ１には、背面部４Ａ２から離間する方向に断面略Ｖ字状に突出した突出部４Ａ１１が形成されている。また、正面部４Ａ１には、突出部４Ａ１１を分割する複数の切欠４Ａ１２が形成されている。このうち、突出部４Ａ１１は可撓性を有し、受熱ブロック３２５に当接した際に、当該受熱ブロック３２５を押圧する方向に付勢力を付与する。
背面部４Ａ２には、２つの略円形状の開口４Ａ２１が形成されている。これら開口４Ａ２１には、図１７に示すように、メインフレーム４の延出部４１１，４２１に形成され、かつ、当該開口４Ａ２１と略同じ形状及び寸法で形成された突起部（図１７では、延出部４１１に形成された突起部４１１１のみ図示）が嵌合する。これにより、挟持片４Ａが延出部４１１，４２１から外れることが防がれる。
【００５９】
このような挟持片４Ａを延出部４１１，４２１に設けることにより、冷却ユニット３２の受熱ブロック３２５を、開口４１，４２内に適切に配置することができるほか、当該受熱ブロック３２５の配置状態を維持することができる。また、メインフレーム４に制御基板５を取り付け、ＣＰＵ５１及びＧＰＵ５２が後述する冷却ユニット３２の受熱ブロック３２５Ｃ，３２５Ｇ（図２３）に当接した際に、当該受熱ブロック３２５Ｃ，３２５Ｇ及び挟持片４Ａを介して、ＣＰＵ５１及びＧＰＵ５２とメインフレーム４とが電気的に接続され、ＣＰＵ５１及びＧＰＵ５２とメインフレーム４とを導通させることができるので、ＥＭＩを防止することができる。
【００６０】
図１３及び図１４に戻り、開口４１，４２近傍には、それぞれ２つずつ孔部４１２，４２２が形成されている。具体的に、２つの孔部４１２は、略矩形の開口４１の一方の対角線上に形成され、また、２つの孔部４２２は、略矩形の開口４２の一方の対角線上に形成されている。これら孔部４１２，４２２には、制御ユニット３１に冷却ユニット３２を取り付けるねじ３７（図１２）が挿通する。
また、メインフレーム４の正面側（図１３及び図１４における手前側）には、略矩形の開口４３が２つ並列して形成されている。これら開口４３には、メインフレーム４に制御基板５を載置した際に、当該制御基板５に設けられた２つの端子接続部５３（図１８）が挿通する。
【００６１】
メインフレーム４の背面側（図１３における上方側）には、当該メインフレーム４の端縁から断面略Ｌ字状に起立する側面部４４，４５が形成されている。
このうち、図１３における左側に形成された側面部４４には、寸法の異なる４つの開口４４１〜４４４が形成されている。これら開口４４１には、制御基板５に設けられ、下部筐体２２に形成された開口２２４１〜２２４４から露出する各端子５９（図１９）が挿通する。また、側面部４４には、当該開口４４１，４４３，４４４の上側に、細長い略矩形の開口４４５〜４４７が形成されている。また、図１３における右側に形成された側面部４５には、開口４４５〜４４７と同様の開口４５１が形成されている。これら開口４４５〜４４７，４５１には、後述するサブフレーム６に形成された起立部６５が係合し、これにより、メインフレーム４にサブフレーム６が取り付けられる。すなわち、側面部４４，４５は、本発明の当接部に相当する。
【００６２】
メインフレーム４の上面における正面側の長手方向両端部には、図１３に示すように、面外方向に突出するピン４６（メインフレーム４の右側のピンを４６Ｒとし、左側のピンを４６Ｌとする）がそれぞれ設けられている。これらピン４６は、メインフレーム４に制御基板５及びサブフレーム６を載置する際に、これらを位置決めする位置決めピンであり、本発明の第１ピンに相当する。
また、メインフレーム４の上面における短手方向に沿った端縁の略中央には、当該端縁から起立する断面略Ｌ字状の起立部４７（メインフレーム４の右側の起立部を４７Ｒとし、左側の起立部を４７Ｌとする）がそれぞれ形成されている。これら起立部４７は、メインフレーム４に制御基板５及びサブフレーム６を位置決めする際に、当該制御基板５及びサブフレーム６の短手方向に沿った端縁の略中央を挟むようにして、当該位置決めを案内する。
【００６３】
メインフレーム４の下面におけるピン４６に対応する位置には、図１４に示すように、同様に面外方向に突出するピン４８（メインフレーム４の右側のピンを４８Ｒとし、左側のピンを４８Ｌとする）が、それぞれ設けられている。これらピン４８は、本発明の第２ピンに相当し、当該各ピン４８Ｒ，４８Ｌは、下部筐体２２に形成された嵌合穴２２６１，２２６２（図６）に嵌合され、メインフレーム４を下部筐体２２に位置決めする。
【００６４】
また、メインフレーム４の左側（図１３における左側であり、下部筐体２２の側面部２２３に近接する側）で、かつ、背面側には、略矩形状の開口４０２が形成されている。この開口４０２が形成された部分の下面側（図１４における右側）には、図示しないＨＤＤユニットが取り付けられるＨＤＤ取付部４９が設けられている。このＨＤＤ取付部４９は、全体略直方体形状を有し、表面には冷却空気導入用の複数の孔が形成されている。また、このＨＤＤ取付部４９の左側（下部筐体２２の側面部２２３（図３）に近接する側であり、図１４における右側）には、略矩形状の開口４９１１が形成されており、当該開口４９１１及び下部筐体２２の側面部２２３に形成された開口２２３２を介して、ＨＤＤユニットがＨＤＤ取付部４９内に収納される。そして、開口４０２を介してＨＤＤ取付部４９内に露出するコネクタ５８（図１１）と、ＨＤＤユニットの端子とが接続されると、制御基板５による制御下で、ＨＤＤユニットに対する情報の読出及び記録が可能となる。
【００６５】
（4-2）制御基板５の構成
図１８及び図１９は、制御基板５を上方及び下方から見た斜視図である。
制御基板５は、装置本体３、ひいては、情報処理装置１全体を制御するものであり、略中央にそれぞれ配置された集積回路であるＣＰＵ５１（図１９における右側）及びＧＰＵ５２（（図１９における左側）のほか、詳しい図示を省略したが、ＲＡＭ（Random Access Memory）、ＲＯＭ（Read Only Memory）、及び、チップセット等の各種ＩＣ（Integrated Circuit）チップ等が実装された回路基板として構成されている。そして、制御基板５は、ＣＰＵ５１及びＧＰＵ５２を含めた各種ＩＣチップが実装される面、すなわち、各ＩＣチップのケーシングが配置される下面を、メインフレーム４に対向させ、かつ、抵抗等の素子の端子が露出する上面を、サブフレーム６に対向させるようにして配置される。なお、ＣＰＵ５１及びＧＰＵ５２の端子は、制御基板５の下面側に設けられ、かつ、ＣＰＵ５１及びＧＰＵ５２の端子と接続されるソケット５１１，５２１（図２７）に取り付けられる。これらソケット５１１，５２１は、平面的に見て、ＣＰＵ５１及びＧＰＵ５２より僅かに大きな寸法を有している。
【００６６】
制御基板５の略中央、具体的に、ＣＰＵ５１及びＧＰＵ５２の一方の対角線上には、図１８及び図１９に示すように、制御ユニット３１と後述する冷却ユニット３２とを固定するねじ３７（図１２）が挿通する４つの孔部５４が形成されている。これら４つの孔部５４は、メインフレーム４の開口４１，４２近傍に形成された孔部４１２，４２２に対応する位置に形成されている。
また、制御基板５の正面側の長手方向両端部には、それぞれ孔部５５（制御基板５における右側の孔部を５５Ｒとし、左側の孔部を５５Ｌとする）が形成されている。これら孔部５５Ｒ，５５Ｌには、メインフレーム４に形成されたピン４６Ｒ，４６Ｌがそれぞれ挿通し、これにより、制御基板５はメインフレーム４に位置決めされる。
【００６７】
さらに、制御基板５の短手方向に沿った端縁の略中央、すなわち、制御基板５においてメインフレーム４の起立部４７に対応する位置には、中央に向かって没入する切欠５６（制御基板５における右側の切欠を５６Ｒとし、左側の切欠を５６Ｌとする）が形成されている。これら切欠５６は、制御基板５がメインフレーム４に対して位置決めされる際に、当該メインフレーム４の起立部４７Ｒ，４７Ｌの内側に位置するように配置され、これにより、メインフレーム４上で制御基板５の揺動が規制される。
【００６８】
また、制御基板５の左側（図１８における左側）には、略矩形の開口５０が形成され、当該開口５０には、電源接続端子５７が下方から嵌合されている。この電源接続端子５７は、電源ユニット３４に挿入される一対の電源ピン５７１（図１８）と、当該電源ピン５７１を制御基板５に取り付ける筐体５７２（図１９）とを備えており、当該電源接続端子５７は、電源ピン５７１が制御基板５の上面側に突出するように、当該制御基板５の下面側から取り付けられる。
このうち、一対の電源ピン５７１は、詳しい図示を省略したが、それぞれ略Ｓ字状を有し、一方の端部が円筒状に形成され、当該円筒状部分が筐体外に突出している。このため、一対の電源ピン５７１は、筐体５７２内で揺動可能に構成されている。これにより、電源ユニット３４の製造時に寸法等の誤差が生じた場合でも、サブフレーム６上に配置される当該電源ユニット３４に、電源ピン５７１が適切に挿入される。
【００６９】
また、筐体５７２の長手方向両端部には、制御基板５の上面に露出する突出部５７２１が形成されており、当該突出部５７２１を制御基板５に対してはんだ付けすることにより、電源接続端子５７が制御基板５に取り付けられる。この突出部５７２１が露出する制御基板５の上面には、抵抗等の各素子の端子が露出する面であるので、電源接続端子５７の取り付けを、他の素子の取り付けと同じ面で行うことができる。従って、電源接続端子５７の制御基板５に対する取り付けを容易に行うことができ、情報処理装置１の製造工程を簡略化することができる。さらに、筐体５７２には、図１６に示すように、開口５０端縁に当接し、当該筐体５７２が下方、すなわち、筐体５７２の取付方向とは反対方向に抜けることを防止する係止つめ５７２２が形成されている。
【００７０】
制御基板５の下面における正面側（図１８及び図１９における手前側）には、図１９に示すように、２つのＵＳＢ端子５３１が設けられた端子接続部５３が、並列するように２つ設けられている。これら端子接続部５３は、制御基板５がメインフレーム４に取り付けられた際に、当該メインフレーム４の開口４３を挿通する。そして、これら端子接続部５３の各ＵＳＢ端子５３１は、下部筐体２２の開口２２１１から露出する。これらＵＳＢ端子５３１は、ＵＳＢ規格に準拠したコネクタのＡ端子が挿入可能に構成されている。
【００７１】
制御基板５の下面側（メインフレーム４に対向する側）には、開口４０２（図１３）を介してＨＤＤ取付部４９（図１４）内に露出し、かつ、ＨＤＤユニット（図示省略）が接続されるコネクタ５８が設けられている。
コネクタ５８は、ＨＤＤユニットに設けられた端子と接続される接続部５８１と、当該接続部５８１を支持する筐体５８２とを備えて構成されている。
このうち、接続部５８１は、側面視略Ｌ字状に形成され、一方の端部が筐体５８２から制御基板５の下面に沿って突出しており、当該突出方向の先端部分に形成された開口（図示省略）を介して、接続部５８１内部に設けられた端子（図示省略）と、ＨＤＤユニットの端子とが接続される。この接続部５８１は、筐体５８２に対して、当該突出方向とは反対方向、及び、当該突出方向に略直交する方向に揺動可能に構成されている。このため、接続部５８１に対してＨＤＤユニットの端子がずれた場合でも、接続部５８１が揺動して、当該接続部５８１に端子が適切に挿入される。
【００７２】
さらに、制御基板５の下面の背面側には、下部筐体２２の背面部２２４に形成された開口２２４１〜２２４４から露出する各種端子５９（５９１〜５９３）（開口４４４及び開口２２４４から露出する端子は図示省略）が設けられている。これら各端子５９は、メインフレーム４の側面部４４に形成された開口４４１〜４４４に挿入され、当該開口４４１〜４４４と端子５９との係合部位が、メインフレーム４に対する制御基板５の回動軸となる。そして、当該回動軸を中心として制御基板５をメインフレーム４に近接する方向に回動させることにより、制御基板５がメインフレーム４に取り付けられる。すなわち、これら端子５９は、制御基板５における本発明の係合部に相当する。
【００７３】
（4-3）サブフレーム６の構成
図２０及び図２１は、サブフレーム６を上方及び下方から見た斜視図である。
サブフレーム６は、メインフレーム４とともに制御基板５を支持するとともに、前述のディスクユニット３３、電源ユニット３４及びリーダライタユニット３５を支持するフレーム部材であり、本発明の第２フレームに相当する。このサブフレーム６は、メインフレーム４と同様に、放熱及びＥＭＩを考慮してアルミ等の金属により形成されている。このサブフレーム６は、図２０及び図２１に示すように、平面視略長方形状の平板状に形成され、略中央部分には、制御基板５と対向する側とは反対側に没入した凹部６０が形成されている。そして、前述のように、凹部６０と、メインフレーム４の凹部４０とにより形成される空間内に、前述の制御基板５が収納配置される。
【００７４】
このサブフレーム６の略中央には、略長円形状の開口６１（図２０における左側），６２（図２０における右側）が形成されている。これら開口６１，６２が形成された位置は、当該サブフレーム６とメインフレーム４とにより、制御基板５を挟んだ際のＣＰＵ５１及びＧＰＵ５２に対応する。また、これら開口６１，６２は、後述する冷却ユニット３２を制御ユニット３１に取り付ける後述する板ばね３６に応じた形状に形成されている。
【００７５】
また、これら開口６１，６２の内側には、ＣＰＵ５１及びＧＰＵ５２の寸法に応じた平面視略正方形状の板状体６３，６４が、それぞれ設けられている。これら板状体６３，６４は、剛性を有する鉄等の金属により形成され、開口６１，６２近傍に形成されたねじ孔（図示省略）に螺合するねじ６１１，６２１により、開口６１，６２の略中央を塞ぐようにして、サブフレーム６の下面側に取り付けられる。これら板状体６３，６４は、サブフレーム６が制御基板５を覆うようにメインフレーム４に取り付けられた際に、ＣＰＵ５１及びＧＰＵ５２に応じた位置に設けられている。
【００７６】
板状体６３，６４の四隅には、略円筒状の突起部６３１，６４１が、それぞれ板状体６３，６４を貫通するように設けられており、図２１に示すように、一部が下面（制御基板５に対向する側の面であり、図２１に示されている面）側に突出している。これら突起部６３１，６４１は、制御基板５におけるＣＰＵ５１及びＧＰＵ５２が実装された面の反対側の面で、かつ、当該ＣＰＵ５１及びＧＰＵ５２が設けられた位置とは反対側の位置に当接する。これら突起部６３１，６４１は、例えば、アセタール樹脂等の絶縁性を有する合成樹脂により形成されており、サブフレーム６が制御基板５を覆う際に、当該制御基板５を流れる電流が、板状体６３，６４を介して板ばね３６に伝導することを防ぐ。また、当該突起部６３１，６４１が板状体６３，６４の下面の四隅に設けられていることにより、板ばね３６によるＣＰＵ５１及びＧＰＵ５２に対する冷却ユニット３２の後述する受熱ブロック３２５Ｃ，３２５Ｇ（図２３）への押圧力を、当該ＣＰＵ５１及びＧＰＵ５２に均等に伝達することができる。
【００７７】
サブフレーム６の背面側の端縁には、図２０及び図２１に示すように、上方に向かって起立する複数の起立部６５が形成されている。これら起立部６５は、メインフレーム４の側面部４４，４５に形成された開口４４５〜４４７，４５１（図１３）に対応する位置に、それぞれ形成されている。そして、これら起立部６５は、当該開口４４５〜４４７，４５１にそれぞれ挿入され、これにより、サブフレーム６がメインフレーム４に取り付けられる。すなわち、起立部６５は、サブフレーム６における本発明の係合部に相当する。
【００７８】
サブフレーム６の正面側の長手方向両端には、サブフレーム６をメインフレーム４に取り付ける際に、当該メインフレーム４に設けられたピン４６（図１３）が挿通する孔部６６（サブフレーム６の右側の孔部を６６Ｒとし、左側の孔部を６６Ｌとする）が形成されている。
また、サブフレーム６の短手方向に沿った端縁の略中央には、制御基板５に形成された切欠５６（図１８）と同様の切欠６７（サブフレーム６の右側の切欠を６７Ｒとし、左側の切欠を６７Ｌとする）が形成されている。これら切欠６７は、メインフレーム４に対して制御基板５を位置決めした後、当該メインフレーム４にサブフレーム６を位置決めする際に、メインフレーム４に形成された起立部４７が嵌まり込む。これにより、メインフレーム４へのサブフレーム６の位置決めが案内される。なお、切欠６７Ｌが形成された位置からサブフレーム６の中央寄りの位置には、制御基板５に設けられた電源接続端子５７の電源ピン５７１（図１８）が挿通する略矩形の開口６０１が形成されている。
【００７９】
また、サブフレーム６の上面における正面左側には、図２０に示すように、リーダライタユニット３５（図９）を支持固定する台座部材６８が設けられている。この台座部材６８は、左側に配置される左側台座６８１と、右側に配置される右側台座６８２とから構成されている。これら台座６８１，６８２には、サブフレーム６の上面と略平行に形成された延出部６８１１，６８２１と、当該上面と略平行に形成され、かつ、延出部６８１１，６８２１よりサブフレーム６の上面から離れた位置に形成された延出部６８１２，６８２２とが形成されている。このうち、延出部６８１１，６８２１は、基板３５２を支持し、延出部６８１２，６８２２は、リーダライタ３５１を支持する。
【００８０】
さらに、サブフレーム６の上面における背面左側には、当該背面の端縁に沿って、電源ユニット３４を支持する支持部６９が設けられている。この支持部６９は、平面視略長方形状に形成されており、長手方向に沿った端縁の両端が、サブフレーム６の上面に対して垂直に起立し、その先端部分が当該上面に略平行に延出するように形成されている。この略平行に延出した延出部６９１に電源ユニット３４（図９）が載置され、当該電源ユニット３４は、図示しないねじにより支持部６９に固定される。
【００８１】
（５）冷却ユニット３２の構成
図２２は、制御ユニット３１に組み合わせた冷却ユニット３２を下方から見た斜視図である。また、図２３は、冷却ユニット３２を上方から見た斜視図である。
冷却ユニット３２は、前述のように、板ばね３６により、制御ユニット３１と一体となり、当該制御ユニット３１を構成する制御基板５を冷却するほか、外装筐体２外部から冷却空気を導入する過程で、当該冷却空気の流路上に位置する電源ユニット３４等を冷却する冷却手段である。この冷却ユニット３２は、図２２に示すように、一部がメインフレーム４のＨＤＤ取付部４９を覆うようにして配置される。
【００８２】
冷却ユニット３２は、回転軸に放射状に形成された羽根部材３２１１を有し、当該回転軸及び羽根部材３２１１を回転させるモータ（図示省略）を備えた送風部３２１と、これらを内部に収納する筐体３２２とを備えて構成されている。
送風部３２１は、モータの回転に伴って回転する羽根部材３２１１により、筐体３２２に形成された後述する吸気口３２３１，３２４４から筐体３２２外の空気を吸引し、吐出口３２７，３２８から吸引した空気を吐出する。これらモータ及び羽根部材３２１１の回転により送風される冷却空気は、筐体３２２に設けられた後述する受熱ブロック３２５を介して放熱フィン３２４５，３２４６に伝導された熱を冷却する。
【００８３】
筐体３２２は、全体略直方体形状に形成され、放熱性及び強度を高めるためにアルミ等の金属により形成されている。
この筐体３２２の下面部３２３、すなわち、下部筐体２２と対向する下面部３２３には、図２２に示すように、平面視略円形状の吸気口３２３１が形成されている。この吸気口３２３１には、下部筐体２２の正面部２２１に形成された吸気口２２１２を介して外装筐体２内部に導入された冷却空気が引き込まれる。
【００８４】
冷却ユニット３２の上面部３２４、すなわち、制御ユニット３１に対向する上面部３２４は、図２３に示すように、２つの板部材３２４１，３２４２から形成されている。これら板部材３２４１，３２４２は、複数の取付部材３２４３により若干の上下動が可能に、筐体３２２に取り付けられている。
上面部３２４の略中央には、これら２つの板部材３２４１，３２４２に跨るように、平面視略円形状の吸気口３２４４が形成されている。この吸気口３２４４には、送風部３２１の羽根部材３２１１の回転に伴って、装置本体３を冷却した冷却空気が冷却ユニット３２内に導入される。
【００８５】
筐体３２２の内部には、板部材３２４１，３２４２にそれぞれ接続され、当該板部材３２４１，３２４２に伝導された熱を放熱する放熱フィン３２４５，３２４６が設けられている。詳述すると、板部材３２４１に放熱フィン３２４６が接続され、板部材３２４２に放熱フィン３２４５が接続されている。これら放熱フィン３２４５，３２４６は、複数の金属製の薄板により形成され、互いに接続された階層構造を有している。そして、これら放熱フィン３２４５，３２４６には、羽根部材３２１１の回転により、筐体３２２内に吸引された空気が送風され、当該放熱フィン３２４５，３２４６が冷却される。また、この際、当該放熱フィン３２４５，３２４６により、各薄板間を冷却空気が流通することとなるので、冷却空気の整流を図ることができる。なお、放熱フィン３２４５と放熱フィン３２４６とは、それぞれ分離されており、熱的に独立するように設けられている。
【００８６】
また、上面部３２４には、２つの受熱ブロック３２５（３２５Ｃ，３２５Ｇ）が設けられている。これら受熱ブロック３２５は、本発明の受熱部に相当し、熱伝導性の高い金属性部材であり、それぞれメインフレーム４に形成された開口４１，４２に応じた形状に形成されている。これら受熱ブロック３２５の略中央には、平面視略矩形状を有する平坦な平坦部３２５１が形成され、両端には、平坦部３２５１より低い段差部３２５２が、当該平坦部３２５１を挟むように形成されている。
これら受熱ブロック３２５の段差部３２５２には、それぞれねじ孔３２５２１が形成され、当該ねじ孔３２５２１には、後述する板ばね３６の孔部３６３２（図２４）、制御基板５の孔部５４（図１８）及びメインフレーム４の孔部４１２，４２２を挿通したねじ３７（図１２）が螺合する。これにより、冷却ユニット３２が制御ユニット３１に取り付けられる。すなわち、ねじ孔３２５２１は、取付部材であるねじ３７を係止する係止部に相当する。
【００８７】
これら受熱ブロック３２５のうち、受熱ブロック３２５Ｃ（図２３における左側）は、吸気口３２４４の一部を覆う位置であり、かつ、制御基板５のＣＰＵ５１に対応する位置に設けられている。そして、冷却ユニット３２が制御ユニット３１に取り付けられた際に、当該受熱ブロック３２５Ｃの平坦部３２５１がＣＰＵ５１に当接し、当該受熱ブロック３２５Ｃには、ＣＰＵ５１で生じた熱が伝導する。
また、受熱ブロック３２５Ｇ（図２３における右側）は、吸気口３２４４及び板部材３２４２のそれぞれの一部を覆う位置であり、かつ、制御基板５のＧＰＵ５２に対応する位置に設けられている。そして、同じく、冷却ユニット３２が制御ユニット３１に取り付けられた際に、当該受熱ブロック３２５Ｇの平坦部３２５１がＧＰＵ５２に当接し、当該受熱ブロック３２５Ｇには、ＧＰＵ５２で生じた熱が伝導する。
【００８８】
これら受熱ブロック３２５Ｃ，３２５Ｇの平坦部３２５１におけるＣＰＵ５１及びＧＰＵ５２に対向し、かつ、当該ＣＰＵ５１及びＧＰＵ５２に当接する面には、熱抵抗を減じるためのグリスが塗布されている。そして、当該グリスにより、ＣＰＵ５１及びＧＰＵ５２の熱が受熱ブロック３２５に伝導しやすくなっている。なお、グリスの代わりに熱伝導シートを貼付してもよいが、受熱ブロック３２５Ｃ，３２５Ｇのそれぞれの高さを維持するには、グリスを用いる方が好ましい。
【００８９】
ここで、冷却ユニット３２において、受熱ブロック３２５Ｃ，３２５Ｇが配置される高さは、それぞれで異なっている。具体的に、ＣＰＵ５１に当接する受熱ブロック３２５Ｃは、ＧＰＵ５２に当接する受熱ブロック３２５Ｇに比べて高い位置に配置されている。これは、ＣＰＵ５１の方がＧＰＵ５２に比べてケーシングが小さいため、当該ＣＰＵ５１に当接する受熱ブロック３２５Ｃの位置を、受熱ブロック３２５Ｇに比べて上げているためである。これにより、それぞれの受熱ブロック３２５Ｃ，３２５Ｇをほぼ同じ圧力で、ＣＰＵ５１及びＧＰＵ５２に押圧することができる。さらに、前述のように、これら受熱ブロック３２５Ｃ，３２５Ｇが接続される板部材３２４１，３２４２のうち、受熱ブロック３２５Ｇが載置される板部材３２４２は、上下動が可能に構成されている。このため、当該受熱ブロック３２５Ｃに対する受熱ブロック３２５Ｇの高さを調整することができる。従って、受熱ブロック３２５Ｃ，３２５Ｇを確実に、ＣＰＵ５１及びＧＰＵ５２に当接させることができる。
【００９０】
これら受熱ブロック３２５には、当該受熱ブロック３２５に接続され、かつ、上面部３２４に沿って延出する複数のヒートパイプ３２６（３２６Ｃ，３２６Ｇ）が設けられている。
このうち、３本のヒートパイプ３２６Ｃは、受熱ブロック３２５Ｃと板部材３２４１とを接続しており、当該受熱ブロック３２５Ｃに伝導されたＣＰＵ５１の熱を吸熱し、板部材３２４１に伝導させる。また、２本のヒートパイプ３２６Ｇは、受熱ブロック３２５Ｇと板部材３２４２とを接続しており、当該受熱ブロック３２５Ｇに伝導されたＧＰＵ５２の熱を吸熱し、板部材３２４２に伝導させる。
そして板部材３２４１，３２４２に伝導されたＣＰＵ５１及びＧＰＵ５２の熱は、放熱フィン３２４６，３２４５にそれぞれ伝導し、当該熱は、送風部３２１を構成するモータ及び羽根部材３２１１の回転に伴って流通する冷却空気により冷却される。
【００９１】
このような受熱ブロック３２５と、メインフレーム４との間には、冷却ユニット３２が制御ユニット３１に取り付けられた際に、当該メインフレーム４の開口４１，４２の端縁に形成された延出部４１１，４２１に設けられた挟持片４Ａ（図１５〜図１７）が介装される。そして、受熱ブロック３２５の側面には、挟持片４Ａの突出部４Ａ１１（図１５及び図１７）が当接し、当該挟持片４Ａにより、受熱ブロック３２５は開口４１，４２内に位置付けられる。
【００９２】
筐体３２２の下面部３２３及び上面部３２４を除く４つの側面のうち、隣接する２つの側面には、図２２及び図２３に示すように、筐体３２２内に吸気した空気を吐出する吐出口３２７，３２８が形成されている。
これら吐出口３２７，３２８のうち、吐出口３２７は、下部筐体２２の側面部２２２に形成された排気口２２２１，２２２２に接続され、当該排気口２２２１，２２２２を介して、放熱フィン３２４５を冷却した空気が排出される。この吐出口３２７の周囲、具体的には、当該吐出口３２７を形成する筐体３２２の下面及び側面には、下部筐体２２の内面部２２６に形成された当接部２２６５に当接されるスポンジ３２７１が設けられている。このスポンジ３２７１により、吐出口３２７と下部筐体２２に形成された排気口２２２２（図１）が接続され、外装筐体２内の装置本体３を冷却し、かつ、吐出口３２７から吐出された冷却空気が、漏れなく排気口２２２１，２２２２から排出される。
【００９３】
また、吐出口３２８は、下部筐体２２の背面部２２４に形成された排気口２２４８に接続され、当該排気口２２４８を介して、放熱フィン３２４６を冷却した空気が排気される。この吐出口３２８の周囲、具体的に、当該吐出口３２８を形成する筐体３２２の上面（図２３に図示された面）及び側面には、スポンジ３２８１が設けられている。このスポンジ３２８１、及び、下部筐体２２の内面部２２６に設けられたスポンジ２２６４（図６）により、吐出口３２８と、下部筐体２２の背面部２２４に形成された排気口２２４８（図３）とが接続され、当該吐出口３２８から吐出された冷却空気を、排気口２２４８から漏れなく外装筐体２外部に排出することができる。
そして、冷却ユニット３２は、情報処理装置１を横置きした場合には、内部を冷却した冷却空気を側方（面２Ａ（図１）側）及び背面側に排出し、縦置きした場合には、上方及び背面側に排出する。
【００９４】
また、上面部３２４には、当該上面部３２４から面外方向に突出する位置決めピン３２９が計４つ設けられている。これら位置決めピン３２９のうち、２つは、板部材３２４１における吐出口３２７近傍に突設され、２つは、板部材３２４２における吐出口３２８近傍に突設されている。これら位置決めピン３２９は、冷却ユニット３２の上面部３２４と、制御ユニット３１のメインフレーム４の下面とを対向させるようにして、冷却ユニット３２にメインフレーム４を位置決めする際に、当該メインフレーム４に形成されたピン挿入口４０１をそれぞれ挿通する。
【００９５】
（６）板ばね３６の構成
次に、板ばね３６の構成について説明する。
図２４は、板ばね３６を上方から見た斜視図である。また、図２５は、板ばね３６を示す断面図である。
２つの板ばね３６は、前述のように、制御ユニット３１に、冷却ユニット３２を取り付ける部材であり、本発明の付勢板に相当する。この板ばね３６は、図２４に示すように、略点対称な平面視略長円形状に形成されている。具体的に、板ばね３６は、サブフレーム６の開口６１，６２に応じた形状を有し、それぞれサブフレーム６の開口６１，６２に嵌合する。
板ばね３６の略中央には、図２４及び図２５に示すように、細長い平坦部３６１が形成されており、当該平坦部３６１の略中央には、サブフレーム６側に突出し、当該サブフレーム６の板状体６３，６４の上面略中央に当接する１つの突出部３６１１が形成されている。また、板ばね３６には、当該平坦部３６１を挟むように、上方に向かって傾斜した一対の傾斜部３６２が形成されている。また、これら一対の傾斜部３６２を挟むように、平坦部３６１に略平行な平坦部３６３が形成されている。
【００９６】
各平坦部３６３には、それぞれ２つの孔部３６３１，３６３２が形成されている。
このうち、孔部３６３２より内側に形成された孔部３６３１は、板ばね３６が板状体６３，６４に当接した際に、当該板状体６３，６４の上面側に露出した突起部６３１，６４１に対応する位置に設けられている。
また、板ばね３６の両端に形成された孔部３６３２は、冷却ユニット３２の受熱ブロック３２５に形成されたねじ孔３２５２１（図２３）に螺合するねじ３７（図１２）が挿通する。
【００９７】
そして、これら孔部３６３２にねじ３７が挿入され、当該ねじ３７が冷却ユニット３２のねじ孔３２５２１に螺合すると、板ばね３６のそれぞれの平坦部３６３が下側（サブフレーム６側）に押し下げられる。ここで、平坦部３６３に対して、当該平坦部３６３の内側に位置する一対の傾斜部３６２はそれぞれ傾斜しているので、当該一対の傾斜部３６２に挟まれる平坦部３６１は下方に押し下げられる。この際、平坦部３６１の下面側に形成された突出部３６１１が、サブフレーム６の板状体６３，６４に当接し、当該板状体６３，６４に対して、１点で荷重を加える。この板ばね３６によって加えられる荷重により、サブフレーム６の板状体６３，６４を介して、制御基板５のＣＰＵ５１及びＧＰＵ５２が、冷却ユニット３２の受熱ブロック３２５Ｃ，３２５Ｇにそれぞれ押し付けられるとともに、冷却ユニット３２が制御ユニット３１に近接する方向に引っ張られる。従って、ＣＰＵ５１及びＧＰＵ５２を受熱ブロック３２５Ｃ，３２５Ｇに確実に押し付けることができ、当該ＣＰＵ５１及びＧＰＵ５２から受熱ブロック３２５Ｃ，３２５Ｇへの伝熱効率を高めることができる。
【００９８】
（７）情報処理装置１の製造工程
ここで、本実施形態の情報処理装置１の製造工程について説明する。
図２６は、情報処理装置１の製造工程を示すフローチャートである。
情報処理装置１は、図２６に示すように、冷却ユニット位置決め工程Ｓ０１、制御基板位置決め工程Ｓ０２、サブフレーム位置決め工程Ｓ０３、冷却ユニット取付工程Ｓ０４、ユニット反転工程Ｓ０５、下部筐体被覆工程Ｓ０６、下部筐体反転工程Ｓ０７、ディスクユニット取付工程Ｓ０８、電源ユニット取付工程Ｓ０９、基板取付工程Ｓ１０、リーダライタ取付工程Ｓ１１、上部筐体取付工程Ｓ１２及び化粧板取付工程Ｓ１３を経て製造される。以下、各工程Ｓ０１〜Ｓ１３について、具体的に説明する。
【００９９】
冷却ユニット位置決め工程Ｓ０１は、本発明の冷却手段位置決め工程に相当し、当該工程Ｓ０１では、冷却ユニット３２を制御ユニット３１のメインフレーム４に位置決めする。この工程Ｓ０１では、冷却ユニット３２の上面部３２４に突設された各位置決めピン３２９が、メインフレーム４に形成されたピン挿入口４０１を挿通するようにして、当該冷却ユニット３２をメインフレーム４に位置決めする。
【０１００】
制御基板位置決め工程Ｓ０２は、本発明の基板位置決め工程に相当し、当該工程Ｓ０２では、冷却ユニット３２上に位置決めされたメインフレーム４に対して、回路基板である制御基板５を位置決めする。
具体的に、メインフレーム４の当接部としての側面部４４に形成された開口４４１〜４４４（図１３）に、制御基板５の背面側に設けられた係合部としての各端子５９（図１９）を挿入し、当該端子５９と開口４４１〜４４４との係合部位を軸として、制御基板５でメインフレーム４を覆うように回動させ、当該制御基板５をメインフレーム４に載置する。この際、制御基板５の切欠５６Ｒ，５６Ｌ（図１８）が、メインフレーム４に形成された起立部４７Ｒ，４７Ｌ（図１３）の内側に配置されるように、また、制御基板５の孔部５５Ｒ，５５Ｌ（図１８）が、メインフレーム４に設けられたピン４６Ｒ，４６Ｌ（図１３）に挿通されるようにして、制御基板５をメインフレーム４に位置決めする。この際、制御基板５とメインフレーム４とは、凹部４０の端縁、すなわち、メインフレーム４の端縁にて、互いに接触し、メインフレーム４の端縁と制御基板５の端縁とが揃えられる。
これにより、制御基板５に実装されたＣＰＵ５１及びＧＰＵ５２がメインフレーム４の開口４１，４２をそれぞれ挿通し、当該ＣＰＵ５１及びＧＰＵ５２が、メインフレーム４の下方に位置する冷却ユニット３２の受熱ブロック３２５Ｃ，３２５Ｇに対向する。従って、メインフレーム４に対して、制御基板５を適切な位置に位置決めすることができる。
【０１０１】
サブフレーム位置決め工程Ｓ０３は、本発明の第２フレーム位置決め工程に相当し、当該工程Ｓ０３では、制御基板５が載置されたメインフレーム４に対して、サブフレーム６を位置決めする。この際、メインフレーム４の当接部としての側面部４４に形成された開口４４５〜４４７（図１３）、及び、当接部としての側面部４５に形成された開口４５１（図１３）に対して、サブフレーム６の背面側の端部に形成された係合部としての起立部６５（図２０）を挿入し、当該起立部６５と開口４４５〜４４７，４５１との係合部位を軸として、サブフレーム６をメインフレーム４及び制御基板５を覆うように回動させて配置する。
【０１０２】
この際、制御基板５の場合と同様に、サブフレーム６に形成された切欠６７Ｒ，６７Ｌ（図２０）が、メインフレーム４の起立部４７Ｒ，４７Ｌ（図１３）の内側に配置されるように、また、サブフレーム６に形成された孔部６６Ｒ，６６Ｌ（図２０）が、メインフレーム４に設けられたピン４６Ｒ，４６Ｌ（図１３）に挿通されるようにして、サブフレーム６をメインフレーム４に位置決めする。また、この際、サブフレーム６と制御基板５とは、凹部６０の端縁、すなわち、サブフレーム６の端縁にて、互いに接触し、メインフレーム４の端縁とサブフレーム６の端縁とが揃えられる。
これにより、制御基板５のＣＰＵ５１及びＧＰＵ５２に応じた位置に板状体６３，６４が位置し、当該制御基板５及びメインフレーム４に対して、サブフレーム６を適切な位置に位置決めすることができる。
この後、メインフレーム４及びサブフレーム６の外周に形成された図示しない孔部を挿通するようにして、ねじ固定することにより、制御ユニット３１を組み立てる。
【０１０３】
図２７は、制御ユニット３１を構成する各部材４〜６と冷却ユニット３２とを示す断面図である。図２８は、制御ユニット３１に冷却ユニット３２が取り付けられた状態の当該制御ユニット３１及び冷却ユニット３２を示す断面図である。なお、図２８については、制御基板５のＣＰＵ５１に応じた位置での断面図であり、同様の構成であるＧＰＵ５２に係る各部材については、括弧書きで符号を付している。
冷却ユニット取付工程Ｓ０４は、本発明の冷却手段取付工程に相当し、当該工程Ｓ０４では、板ばね３６と冷却ユニット３２とにより、制御ユニット３１を挟むようにして、当該制御ユニット３１に冷却ユニット３２を取り付ける。
【０１０４】
具体的に、工程Ｓ０４では、まず、上記のように互いに位置決めされた制御ユニット３１において、図２７及び図２８に示すように、当該制御ユニット３１のサブフレーム６に形成された開口６１，６２に合わせるように、板ばね３６をそれぞれ配置する。この際、それぞれの板ばね３６の略中央に形成された平坦部３６１の突出部３６１１が、開口６１，６２の略中央を塞ぐように設けられた板状体６３，６４（図２８においては板状体６３のみ図示）に当接し、かつ、当該平坦部３６１の両端から延出する傾斜部３６２の延出方向が、サブフレーム６から離間する方向となるように、各板ばね３６を配置する。
【０１０５】
この後、ねじ３７を、板ばね３６の平坦部３６３に形成された孔部３６３２（図２７）、サブフレーム６の開口６１，６２、制御基板５に形成された孔部５４、及び、メインフレーム４の孔部４１２，４２２に挿通させる。そして、ねじ３７を冷却ユニット３２の受熱ブロック３２５Ｃ，３２５Ｇに形成されたねじ孔３２５２１に螺合させ、板ばね３６を冷却ユニット３２にねじ固定する。この際、ねじ孔３２５２１に対するねじ３７の螺合により、板ばね３６の傾斜部３６２及び平坦部３６３が、制御基板５に近接するように撓むことにより、当該平坦部３６３が、ねじ３７を介して、冷却ユニット３２を制御ユニット３１側に引くように付勢するとともに、平坦部３６１の突出部３６１１が板状体６３，６４を介して、制御基板５のＣＰＵ５１及びＧＰＵ５２を冷却ユニット３２の受熱ブロック３２５Ｃ，３２５Ｇに押圧する。
【０１０６】
ここで、板ばね３６と板状体６３，６４とは、当該板ばね３６の平坦部３６１に形成された突出部３６１１の一点で当接し、板ばね３６は、当該突出部３６１１にて板状体６３，６４に対して、１０ｋｇの荷重が加わるように固定される。このため、板状体６３，６４に加わった１０ｋｇの荷重は、当該板状体６３の四隅に設けられた突起部６３１，６４１から均等に制御基板５に加わることとなる。
また、これら板状体６３，６４は、制御基板５のＣＰＵ５１及びＧＰＵ５２と略同じ寸法で形成され、かつ、当該ＣＰＵ５１及びＧＰＵ５２に応じた位置に配置されている。このため、板状体６３，６４の四隅に設けられた突起部６３１，６４１から加わる荷重は、ＣＰＵ５１及びＧＰＵ５２の四隅をそれぞれ均等に受熱ブロック３２５Ｃ，３２５Ｇに圧着させることとなる。従って、ＣＰＵ５１及びＧＰＵ５２に設けられ、制御基板５に設けられたソケット５１１，５２１に挿入される端子の歪み等の変位を抑制できるとともに、当該ＣＰＵ５１及びＧＰＵ５２を確実かつ適切に、受熱ブロック３２５Ｃ，３２５Ｇに圧着させることができる。
【０１０７】
ここで、ねじ３７について説明すると、図２７に示すように、ねじ３７は、本発明の取付部材に相当し、挿入方向先端側が細く、挿入方向基端側が太く形成されている。
詳述すると、ねじ３７には、平面視略円形状を有するねじ頭３７１と、当該ねじ頭３７１から面外方向に突出する円筒部３７２と、当該円筒部３７２の先端部分からさらに突出し、円筒部３７２より外径寸法の小さい略円筒状の螺合部３７３とが形成されている。
このうち、ねじ頭３７１の外径寸法は、板ばね３６の孔部３６３２の内径寸法より大きく、また、円筒部３７２の外径寸法は、板ばね３６、制御基板５及びメインフレーム４に形成された各孔部３６３２，５４，４１２，４２２より僅かに小さい。さらに、螺合部３７３の外径寸法は、受熱ブロック３２５に形成されたねじ孔３２５２１の内径寸法より僅かに小さく形成され、当該螺合部３７３の外周には、ねじ溝が形成されている。
【０１０８】
このようなねじ３７が、受熱ブロック３２５のねじ孔３２５２１に螺合した場合には、当該ねじ３７のねじ孔３２５２１への締め付け力は、サブフレーム６、制御基板５及びメインフレーム４には伝わらない。そして、ＣＰＵ５１及びＧＰＵ５２と、受熱ブロック３２５Ｃ，３２５Ｇとの圧着は、板ばね３６の変形により生じる冷却ユニット３２の引き込み、及び、板状体６３，６４を介して伝達されるＣＰＵ５１及びＧＰＵ５２の受熱ブロック３２５への押圧によって行われる。従って、ねじ３７の受熱ブロック３２５への取り付けによって制御基板５の湾曲等の変位が生じることが抑えられる。
【０１０９】
図２９は、延出部４１１に取り付けられた挟持片４Ａにより挟持された受熱ブロック３２５を示す斜視図である。
このようにして、制御基板５のＣＰＵ５１及びＧＰＵ５２と、冷却ユニット３２の受熱ブロック３２５Ｃ，３２５Ｇとが圧着した際には、図２９に示すように、メインフレーム４の開口４１，４２の端縁の延出部４１１，４２１（図２９では、延出部４１１のみ図示）に取り付けられた一対の挟持片４Ａにより、受熱ブロック３２５Ｃ，３２５Ｇ（図２９では、受熱ブロック３２５Ｃのみ図示）が挟持される。このため、開口４１，４２内に、受熱ブロック３２５Ｃ，３２５Ｇが位置し、当該受熱ブロック３２５Ｃ，３２５Ｇを、開口４１，４２から冷却ユニット３２側に露出するＣＰＵ５１及びＧＰＵ５２に適切に当接させることができる。また、挟持片４Ａが熱伝導性の金属により形成されているので、受熱ブロック３２５に伝導された熱を、さらにメインフレーム４に伝導して放熱することができる。さらに、前述のように、受熱ブロック３２５Ｃ，３２５Ｇ及び挟持片４Ａを介して、ＣＰＵ５１及びＧＰＵ５２とメインフレーム４とが電気的に接続されるので、ＥＭＩを防止することができる。
【０１１０】
以上のようにして、制御ユニット３１と冷却ユニット３２とを一体的に構成でき、これらユニット３１，３２を、１つのユニットとすることができる。そして、このような構成により、制御基板５のＣＰＵ５１及びＧＰＵ５２に、冷却ユニット３２の受熱ブロック３２５を圧着させることができ、また、板状体６３，６４を介して、ＣＰＵ５１及びＧＰＵ５２を、受熱ブロック３２５Ｃ，３２５Ｇに押圧することができる。従って、ＣＰＵ５１及びＧＰＵ５２で生じた熱を受熱ブロック３２５Ｃ，３２５Ｇに速やかに伝導することができる。そして、これら受熱ブロック３２５Ｃ，３２５Ｇに伝導された熱は、ヒートパイプ３２６Ｃ，３２６Ｇ（図２３）により、板部材３２４１，３２４２（図２７では、板部材３２４１のみ図示）を介して、放熱フィン３２４６，３２４５に伝導される。これら放熱フィン３２４５，３２４６には、送風部３２１を構成するモータ及び羽根部材３２１１の回転に伴って冷却空気が送風され、当該冷却空気により、放熱フィン３２４６，３２４５に伝導されたＣＰＵ５１及びＧＰＵ５２の熱は冷却される。
【０１１１】
図２６に戻り、ユニット反転工程Ｓ０５は、本発明の第１フレーム反転手順に相当し、工程Ｓ０４にて一体化された制御ユニット３１及び冷却ユニット３２を反転させる。
具体的に、工程Ｓ０５では、板ばね３６及びねじ３７により一体化された制御ユニット３１及び冷却ユニット３２を、メインフレーム４の下面（図１４）及び冷却ユニット３２の下面部３２３（図２２）が上方を向くように、すなわち、図２２の状態となるように、反転させる。この状態では、メインフレーム４に設けられたピン４８（４８Ｒ，４８Ｌ）が上方を向くこととなる。
【０１１２】
図３０は、反転された制御ユニット３１及び冷却ユニット３２を下部筐体２２で覆う工程を示す図である。なお、図３０において、制御ユニット３１は、メインフレーム４のみを図示し、制御基板５及びサブフレーム６の図示を省略している。
下部筐体被覆工程Ｓ０６は、本発明の第１筐体被覆手順に相当し、当該工程Ｓ０６では、図３０に示すように、工程Ｓ０５にて反転された制御ユニット３１及び冷却ユニット３２を覆うように、これら制御ユニット３１及び冷却ユニット３２を下部筐体２２に位置決めする。
具体的に、制御ユニット３１のメインフレーム４に突設されたピン４８Ｒ，４８Ｌが、下部筐体２２に形成された嵌合穴２２６１，２２６２（図６）に、それぞれ嵌合するようにして、当該制御ユニット３１及び冷却ユニット３２を下部筐体２２に位置決めする。この際、前述のように、嵌合穴２２６１が長円形状を有しているので、メインフレーム４の各ピン４８Ｒ，４８Ｌと、嵌合穴２２６１，２２６２との位置が僅かにずれた場合でも、当該ピン４８Ｒ，４８Ｌは、嵌合穴２２６１，２２６２にそれぞれ嵌合する。
このようなユニット反転工程Ｓ０５及び下部筐体被覆工程Ｓ０６は、本発明の第１フレーム位置決め工程に相当する。
この後、図２６に示すように、下部筐体反転工程Ｓ０７にて、内部に制御ユニット３１及び冷却ユニット３２が位置決めされた下部筐体２２を、当該下部筐体２２の開口２２Ａが上方に開口し、制御ユニット３１のサブフレーム６が上方に位置するように反転する。
【０１１３】
ディスクユニット取付工程Ｓ０８では、ディスクユニット３３（図７〜図９）をサブフレーム６上に載置し、当該ディスクユニット３３をサブフレーム６にねじ等により取り付ける。
電源ユニット取付工程Ｓ０９では、電源ユニット３４（図７〜図９）をサブフレーム６上に載置し、当該電源ユニット３４をサブフレーム６にねじ等により取り付ける。この際、制御基板５に設けられ、かつ、サブフレーム６の開口６０１を介して上方に向かって突出した電源接続端子５７の電源ピン５７１（図１８）が、電源ユニット３４の下面に形成されたピン挿入口（図示省略）に挿入されるようにして、当該電源ユニット３４をサブフレーム６に対して位置決めする。そして、サブフレーム６に設けられた支持部６９（図２０）に、電源ユニット３４をねじ等により取り付ける。
【０１１４】
基板取付工程Ｓ１０では、リーダライタユニット３５を構成する基板３５２（図７〜図９）を、サブフレーム６の上面に設けられた台座６８１，６８２の延出部６８１１，６８２１（図２０）にねじ等により取り付ける。
リーダライタ取付工程Ｓ１１では、リーダライタユニット３５を構成するリーダライタ３５１（図７〜図９）を、上部筐体２１の内面で、かつ、カードスロット部２１１３の開口２１１３１（図２）に対応する位置に、ねじ等により取り付ける。このリーダライタ３５１は、後述する上部筐体取付工程Ｓ１２において、上部筐体２１に形成されたねじ孔を挿通するねじにより、サブフレーム６に設けられた台座６８１，６８２の延出部６８１２，６８２２（図２０）に固定される。
なお、これら各工程Ｓ０８〜Ｓ１１の順序は、適宜変更してもよい。
【０１１５】
図３１は、装置本体３及び下部筐体２２と、当該下部筐体２２に取り付けられる際の上部筐体２１とを示す斜視図である。
上部筐体取付工程Ｓ１２は、本発明の第２筐体取付工程に相当し、当該工程Ｓ１２では、下部筐体２２に対して、上部筐体２１を取り付ける。
この際、まず、上部筐体２１の正面部２１１の端縁を、下部筐体２２の正面部２２１の端縁に当接させるようにして、互いに垂直となるように係合させる。この後、図３１に示すように、当該当接部位を軸として上部筐体２１を下部筐体２２に近接するように回動させて、上部筐体２１と下部筐体２２とを組み合わせる。これにより、下部筐体２２の開口２２Ａが上部筐体２１により閉塞され、装置本体３を構成するディスクユニット３３、電源ユニット３４及びリーダライタユニット３５の基板３５２が、上部筐体２１に覆われることとなる。なお、上部筐体２１の下部筐体２２への取り付けの際には、上部筐体２１に取り付けられたリーダライタ３５１から延出する信号線を、下部筐体２２内に収納された基板３５２に接続する。
このようにして下部筐体２２と組み合わされた上部筐体２１は、当該上部筐体２１の上面部２１２に形成されたねじ挿入口２１２３を挿通するねじにより、下部筐体２２に固定される。
【０１１６】
化粧板取付工程Ｓ１３では、上部筐体２１の上面部２１２に形成された係合部２１２２（図４）と、化粧板２４（図３）の係止部（図示省略）とを係合させ、当該化粧板２４を、溝部２１２１に沿って上面部２１２上で摺動させる。これにより、係合部２１２２と係止部とが互いに動きを係止し、化粧板２４が上部筐体２１に取り付けられ、上面部２１２に形成された溝部２１２１、係合部２１２２及びねじ挿入口２１２３が露出しないようになる。
以上のような工程Ｓ０１〜Ｓ１３を経て、情報処理装置１が製造される。
【０１１７】
（８）本実施形態の効果
以上のような本実施形態の情報処理装置１によれば、以下の効果を奏することができる。
すなわち、情報処理装置１の製造工程においては、制御基板位置決め工程Ｓ０２にて、メインフレーム４に設けられたピン４６に、制御基板５に形成された孔部５５が挿通するように、当該制御基板５をメインフレーム４に位置決めし、サブフレーム位置決め工程Ｓ０３にて、当該ピン４６に、サブフレーム６に形成された孔部６６が挿通するように、サブフレーム６をメインフレーム４に位置決めする。そして、下部筐体被覆工程Ｓ０６にて、メインフレーム４に設けられ、ピン４６とは反対方向に突出するピン４８を、下部筐体２２の嵌合穴２２６１，２２６２に嵌合させて、メインフレーム４を下部筐体２２内に位置決めし、上部筐体取付工程Ｓ１２にて、下部筐体２２に上部筐体２１を取り付ける。
【０１１８】
これによれば、制御基板５及びサブフレーム６は、それぞれメインフレーム４に位置決めされるので、これらメインフレーム４及びサブフレーム６と、制御基板５との間に位置ずれが生じることを防ぐことができる。
また、これら制御基板５及びサブフレーム６が位置決めされたメインフレーム４は、当該メインフレーム４に設けられたピン４８が、下部筐体２２の嵌合穴２２６１，２２６２に嵌合されることで、下部筐体２２に位置決めされるので、外装筐体２内での適切な位置にメインフレーム４、さらには、制御基板５及びサブフレーム６を位置決めすることができる。従って、それぞれの部材４〜６の位置ずれを防止することができるだけでなく、各部材４〜６が互いに干渉することを防ぐことができる。
【０１１９】
また、メインフレーム４の背面側の端部には、開口４４１〜４４７，４５１を有する側面部４４，４５が形成され、前述のピン４６は、メインフレーム４の正面側の両端部に突設されている。そして、制御基板位置決め工程Ｓ０２では、制御基板５に設けられた端子５９を開口４４１〜４４４に挿入し、当該端子５９における開口４４１，４４４との係合部位を軸として制御基板５を回動させ、当該制御基板５でメインフレーム４を覆い、かつ、ピン４６が孔部５５に挿通させて、制御基板５をメインフレーム４に位置決めする。また、サブフレーム位置決め工程Ｓ０３では、同様に、開口４４５〜４４７，４５１に起立部６５を挿入し、当該起立部６５における側面部４４，４５との係合部位を軸としてサブフレーム６を回動させ、当該サブフレーム６で制御基板５を覆い、かつ、ピン４６が孔部６６に挿通させて、サブフレーム６をメインフレーム４に位置決めする。
これによれば、制御基板５及びサブフレーム６は、背面側の側面部４４，４５と正面側のピン４６にてメインフレーム４に位置決めされるので、これらメインフレーム４上での制御基板５及びサブフレーム６の位置ずれを確実に防止することができる。
【０１２０】
また、メインフレーム４において、それぞれ反対側に設けられた側面部４４，４５とピン４６とにより位置決めされる制御基板５及びサブフレーム６は、それぞれ側面部４４，４５との係合部位を軸として回動させることで、メインフレーム４上に位置決めされる。
これによれば、メインフレーム４と略平行にして制御基板５及びサブフレーム６を、当該メインフレーム４上に載置する場合に比べ、位置決め工程を簡易に行うことができる。さらに、側面部４４，４５と制御基板５及びサブフレーム６との係合を確実に行うことができるので、当該制御基板５及びサブフレーム６のメインフレーム４に対する位置ずれを一層確実に防止することができる。
従って、制御基板５及びサブフレーム６の位置決め工程を簡略化することができるほか、これらの位置ずれを一層確実に防止することができる。
【０１２１】
また、メインフレーム４の長手方向の両端で、短手方向の略中央には、起立部４７がそれぞれ形成され、制御基板５及びサブフレーム６には、当該起立部４７に応じた位置に切欠５６，６７が形成されている。
これによれば、起立部４７により、制御基板５及びサブフレーム６の回動が案内されるので、当該制御基板５及びサブフレーム６の位置決めを簡易に行うことができる。また、制御基板５及びサブフレーム６をメインフレーム４に載置した際に、切欠５６，６７が形成された部分で、各起立部４７（４７Ｒ，４７Ｌ）により制御基板５及びサブフレーム６が挟まれるので、メインフレーム４上での制御基板５及びサブフレーム６の長手方向への位置ずれを確実に防止することができる。
従って、制御基板５及びサブフレーム６の位置決め工程Ｓ０２，Ｓ０３を簡易に行うことができるほか、これらの位置ずれを一層確実に防止することができる。
【０１２２】
また、メインフレーム４に設けられたピン４６（４６Ｒ，４６Ｌ）は、当該メインフレーム４の正面側の左右両端（長手方向の両端）に、それぞれ設けられている。
これによれば、メインフレーム４に対する制御基板５及びサブフレーム６の位置決め箇所を多くすることができるので、当該制御基板５及びサブフレーム６の位置ずれをより一層確実に防止することができる。
【０１２３】
また、制御ユニット３１及び冷却ユニット３２を下部筐体２２内に収納する際には、ユニット反転工程Ｓ０５にて、メインフレーム４に設けられたピン４８の突出方向が上方を向くように制御ユニット３１及び冷却ユニット３２を反転させる。そして、下部筐体被覆工程Ｓ０６にて、制御ユニット３１及び冷却ユニット３２を下部筐体２２で被覆して、ピン４８を嵌合穴２２６１，２２６２に嵌合させる。
これによれば、下部筐体２２と、制御ユニット３１及び冷却ユニット３２とを位置決めする際に、当該制御ユニット３１及び冷却ユニット３２より軽い下部筐体２２を移動させることができるので、位置決めを容易に行うことができる。
【０１２４】
ここで、下部筐体２２内に制御ユニット３１及び冷却ユニット３２が収納された際に、当該制御ユニット３１及び冷却ユニット３２と、下部筐体２２との間には僅かな隙間しかないため、治具等を用いて制御ユニット３１及び冷却ユニット３２を下部筐体２２内に上方から位置決めすると、当該治具を抜くことが困難となる。
これに対し、下部筐体２２で覆うようにして、制御ユニット３１及び冷却ユニット３２と、下部筐体２２とを位置決めするので、治具は下部筐体２２の外側を把持しつつ、上方に向かって突出したピン４８が嵌合穴２２６１，２２６２に嵌合されるように当該下部筐体２２を移動させることで、制御ユニット３１及び冷却ユニット３２と、下部筐体２２とを位置決めすることができる。従って、下部筐体２２と、制御ユニット３１及び冷却ユニット３２との位置決め工程を一層簡易に行うことができる。
【０１２５】
また、情報処理装置１には、制御ユニット３１を構成する制御基板５のＣＰＵ５１及びＧＰＵ５２に当接し、当該ＣＰＵ５１及びＣＰＵ５２で生じた熱が伝導される冷却ユニット３２が設けられている。この冷却ユニット３２は、ＣＰＵ５１及びＧＰＵ５２に当接する受熱ブロック３２５（３２５Ｃ，３２５Ｇ）と、受熱ブロック３２５を介して、ＣＰＵ５１及びＧＰＵ５２の熱が伝導する放熱フィン３２４５，３２４６と、当該放熱フィン３２４５，３２４６に冷却空気を送風して、放熱フィン３２４５，３２４６に伝導した熱を冷却する送風部３２１とを備えている。これによれば、ＣＰＵ５１及びＧＰＵ５２で生じた熱を効率よく冷却することができる。従って、ＣＰＵ５１及びＧＰＵ５２を安定して駆動させることができる。
【０１２６】
さらに、冷却ユニット３２の制御ユニット３１に対向する上面部３２４には、面外方向に突出する複数の位置決めピン３２９が設けられており、制御ユニット３１のメインフレーム４には、当該位置決めピン３２９が挿通するピン挿入口４０１が形成されている。
これによれば、冷却ユニット位置決め工程Ｓ０１でのメインフレーム４と冷却ユニット３２とを位置決めを容易に、かつ、適切に行うことができる。従って、工程Ｓ０１の簡略化を図ることができるほか、メインフレーム４と冷却ユニット３２との位置ずれを防止することができる。
【０１２７】
また、制御ユニット３１は、冷却ユニット３２と、当該冷却ユニット３２にねじ３７により取り付けられる板ばね３６とによって挟持され、当該板ばね３６の付勢力により、冷却ユニット３２が制御ユニット３１側に引かれるとともに、制御基板５のＣＰＵ５１及びＧＰＵ５２が冷却ユニット３２の受熱ブロック３２５に押圧される。
これによれば、ＣＰＵ５１及びＧＰＵ５２の受熱ブロック３２５への熱伝導効率を向上することができる。従って、ＣＰＵ５１及びＧＰＵ５２を一層効率よく冷却することができる。
【０１２８】
さらに、制御ユニット３１への冷却ユニット３２の取付に際して、ねじ３７のねじ頭３７１が板ばね３６と係合し、かつ、突出方向先端部である螺合部３７３が冷却ユニット３２に形成されたねじ孔３２５２１に螺合する。これに対し、中間に位置する円筒部３７２は、サブフレーム６の開口６１，６２、制御基板５及びメインフレーム４の各孔部５４，４１２，４２２を挿通するのみであり、当該円筒部３７２は、これらサブフレーム６、制御基板５及びメインフレーム４に力を作用しない。
これによれば、ねじ３７のねじ孔３２５２１への締め付け力が、制御ユニット３１に伝達されないので、制御ユニット３１に冷却ユニット３２がねじ等により直接取り付けられた場合に生じる反り等の変位が、制御ユニット３１に生じることを抑えることができる。
従って、制御ユニット３１に変位を生じさせずに当該制御ユニット３１及び冷却ユニット３２を一体化することができ、これらの取扱いを容易に行うことができる。また、これにより、前述のユニット反転工程Ｓ０５を簡易に行うことができる。
【０１２９】
また、制御ユニット３１において、メインフレーム４及びサブフレーム６には、制御基板５に対向する側とは反対側に没入した凹部４０，６０が形成され、制御基板５は、当該凹部４０，６０により形成される空間内に配置される。
これによれば、メインフレーム４及びサブフレーム６を、制御基板５を覆う際に必要な最小限のサイズに形成することができる。従って、これらによって形成される制御ユニット３１の薄型化及び小型化を図ることができる。
【０１３０】
さらに、制御基板５は、凹部４０，６０の端縁、すなわち、メインフレーム４及びサブフレーム６の端縁にて、当該メインフレーム４及びサブフレーム６と当接している。
これによれば、制御基板５をメインフレーム４及びサブフレーム６で確実に覆うことができるほか、当該制御基板５で生じた不要な輻射ノイズを、メインフレーム４及びサブフレーム６に確実に導通させることができる。従って、情報処理装置１のＥＭＩを確実に防止することができる。
【０１３１】
（９）実施形態の変形
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【０１３２】
前記実施形態では、メインフレーム４にピン４６が突設され、制御基板５及びサブフレーム６に当該ピン４６が挿通する孔部５５，６６が形成されているとしたが、本発明はこれに限らない。例えば、制御基板５に近接する方向に突出したピンがサブフレーム６に設けられ、当該ピンが挿通する孔部が、制御基板５及びメインフレーム４に形成されていてもよい。なお、制御ユニット３１を構成する上で下方に位置し、冷却ユニット３２に近接する側に位置するメインフレーム４にピン４６が突設されていれば、当該メインフレーム４に対して上方に位置する制御基板５及びサブフレーム６のメインフレーム４に対する位置決めを容易に行うことができる。また、同様にして、メインフレーム４に対する冷却ユニット３２の位置決めも容易に行うことができる。
【０１３３】
前記実施形態では、メインフレーム４の側面部４４に形成された開口４４１〜４４４に、制御基板５の端子５９を挿通し、当該端子５９と開口４４１〜４４４との係合部位を軸として制御基板５を回動させて、当該制御基板５をメインフレーム４に位置決めするとしたが、本発明はこれに限らない。また、サブフレーム６に形成された起立部６５を、側面部４４，４５に形成された開口４４５〜４４７，４５１に挿入し、当該起立部６５を軸としてサブフレーム６を回動させて、当該サブフレーム６をメインフレーム４に位置決めするとしたが、本発明はこれに限らない。すなわち、メインフレーム４に対して平行移動させて、当該メインフレーム４を覆うように、制御基板５及びサブフレーム６を位置決めしてもよい。
【０１３４】
前記実施形態では、制御基板５及びサブフレーム６が当接する側面部４４，４５が形成された背面側からピン４６が形成された正面側に向う方向に直交する方向（前記実施形態では、メインフレーム４の長手方向）の両端における略中央（前記実施形態では、メインフレーム４の短手方向の略中央）には、起立部４７が形成され、制御基板５及びサブフレーム６には、メインフレーム４の起立部４７に応じた位置に切欠５６，６７が形成されているとしたが、本発明はこれに限らない。すなわち、起立部４７及び切欠５６，６７の位置は、適宜設定してよい。なお、起立部４７がメインフレーム４の端縁、特に、側面部４４，４５が形成された一辺とは異なる他の端縁に形成されていることにより、制御基板５を貫通する切欠を形成せずに済むので、当該制御基板５の設計自由度を向上することができる。
【０１３５】
前記実施形態では、制御ユニット３１及び冷却ユニット３２と、下部筐体２２とを位置決めする際に、ユニット反転工程Ｓ０５にて、制御ユニット３１及び冷却ユニット３２を反転させた後、下部筐体被覆工程Ｓ０６にて、ピン４８が嵌合穴２２６１，２２６２に嵌合されるように、制御ユニット３１及び冷却ユニット３２を下部筐体２２で被覆するとしたが、本発明はこれに限らない。例えば、一体化された制御ユニット３１及び冷却ユニット３２を治具等により支持可能であれば、反転させずに当該ユニット３１，３２に下部筐体２２を位置決めしてもよい。
【０１３６】
前記実施形態では、制御基板５及びサブフレーム６を挿通するピン４６は、メインフレーム４の上面から面外方向に突出し、下部筐体２２の嵌合穴２２６１，２２６２に嵌合されるピン４８は、メインフレーム４の下面から面外方向に突出するとしたが、本発明はこれに限らない。例えば、これらピン４６，４８の突出方向は同じでもよい。この場合、ピン４８が嵌合する嵌合穴を上部筐体２１に形成し、当該上部筐体２１に下部筐体２２を取り付ければよい。また、このような場合には、ピン４６が上部筐体２１に形成された嵌合穴に嵌合するようにしてもよい。このようにすれば、ピン４８は省略できる。さらに、ピン４６，４８は、一体の部材としてもよい。
【０１３７】
前記実施形態では、冷却ユニット３２の上面部３２４に位置決めピン３２９が突設され、メインフレーム４に、当該位置決めピン３２９が挿通するピン挿入口４０１が形成されているとしたが、本発明はこれに限らない。すなわち、メインフレーム４の下面（冷却ユニット３２に対向する面）にピンを設け、冷却ユニット３２に、当該ピンが挿入される孔部が形成されていてもよい。なお、冷却ユニット３２にピンが挿入される孔部を形成すると、ピンの挿入により、冷却ユニット３２内部に設けられたモータ及び羽根部材３２１１の回転が阻害される可能性がある。これに対し、冷却ユニット３２側にピンを設けることにより、このような可能性を考慮しなくて済ませることができる。
【０１３８】
前記実施形態では、制御ユニット３１は、冷却ユニット３２及び板ばね３６により挟持されるとしたが、本発明はこれに限らない。例えば、冷却ユニット３２をねじ等により、制御ユニット３１に直接固定するようにしてもよい。なお、このような場合には、冷却ユニット３２の重量等により、制御ユニット３１に反り等の変位が生じる可能性があるが、板ばね３６及び冷却ユニット３２により、制御ユニット３１を挟むことにより、当該変位の発生を抑制することができるほか、制御基板５に実装されたＣＰＵ５１及びＧＰＵ５２を適切に冷却ユニット３２の受熱ブロック３２５に圧着させることができる。
【０１３９】
前記実施形態では、制御基板５は、メインフレーム４及びサブフレーム６の端縁に、それぞれ当接するとしたが、本発明はこれに限らない。例えば、メインフレーム４及びサブフレーム６の各凹部４０，６０により形成される空間内に、制御基板５の全てが収納されるように構成してもよい。
【０１４０】
前記実施形態では、電子機器として、光ディスクやメモリカードから取得した情報、及び、ネットワークを介して取得した情報に含まれる画像情報及び音声情報を再生可能に構成され、また、当該情報に含まれるプログラムを実行可能に構成された情報処理装置１を例示したが、本発明はこれに限らない。例えば、光ディスク再生装置など、これら機能のうちの少なくともいずれかを有する電子機器や、他の機能を有する電子機器にも適用可能である。また、電子機器として、例えば、プリンタ等の印刷装置や、画像表示装置などにも適当可能である。すなわち、回路基板、及び、当該回路基板を挟む一対のフレーム部材を備えた装置本体と、組み合わさることで装置本体を収納する２つの筐体とを備えた電子機器であれば、本発明を適用することができる。
【産業上の利用可能性】
【０１４１】
本発明は、電子機器の製造方法として利用でき、特に、回路基板を一対のフレームによって挟む構成を有する装置本体を備えた電子機器に好適に利用することができる。
【図面の簡単な説明】
【０１４２】
【図１】本発明の一実施形態に係る情報処理装置を正面側から見た斜視図。
【図２】図１において蓋部材を開放した情報処理装置を正面側から見た斜視図。
【図３】前記実施形態における化粧板をずらした状態の情報処理装置を背面側から見た斜視図。
【図４】前記実施形態における化粧板を外した状態の情報処理装置を正面側から見た斜視図。
【図５】前記実施形態における情報処理装置を下方から見た斜視図。
【図６】前記実施形態における下部筐体の内面部を示す平面図。
【図７】図１において上部筐体を外した状態の情報処理装置を正面側から見た斜視図。
【図８】前記実施形態における装置本体を正面側から見た斜視図。
【図９】前記実施形態における装置本体を示す分解斜視図。
【図１０】前記実施形態における制御ユニットを上方から見た斜視図。
【図１１】前記実施形態における制御ユニットを下方から見た斜視図。
【図１２】前記実施形態における制御ユニット及び冷却ユニットを示す分解斜視図。
【図１３】前記実施形態におけるメインフレームを上方から見た斜視図。
【図１４】前記実施形態におけるメインフレームを下方から見た斜視図。
【図１５】前記実施形態における挟持片を正面側から見た斜視図。
【図１６】前記実施形態における挟持片を背面側から見た斜視図。
【図１７】前記実施形態におけるメインフレームの開口周辺を示す斜視図。
【図１８】前記実施形態における制御基板を上方から見た斜視図。
【図１９】前記実施形態における制御基板を下方から見た斜視図。
【図２０】前記実施形態におけるサブフレームを上方から見た斜視図。
【図２１】前記実施形態におけるサブフレームを下方から見た斜視図。
【図２２】前記実施形態における制御ユニット及び冷却ユニットを下方から見た斜視図。
【図２３】前記実施形態における冷却ユニットを上方から見た斜視図。
【図２４】前記実施形態における板ばねを上方から見た斜視図。
【図２５】前記実施形態における板ばねを示す断面図。
【図２６】前記実施形態における情報処理装置の製造工程を示すフローチャート。
【図２７】前記実施形態における制御ユニット及び冷却ユニットを示す断面図。
【図２８】前記実施形態における制御ユニット及び冷却ユニットを示す断面図。
【図２９】前記実施形態における挟持片及び受熱ブロックを示す斜視図。
【図３０】前記実施形態における制御ユニット及び冷却ユニットと、下部筐体とを示す斜視図。
【図３１】前記実施形態における装置本体、下部筐体及び上部筐体を示す斜視図。
【符号の説明】
【０１４３】
１…情報処理装置、２…外装筐体、３…装置本体（機器本体）、４…メインフレーム（第１フレーム）、５…制御基板（回路基板）、６…サブフレーム（第２フレーム）、２１…上部筐体（第２筐体）、２２…下部筐体（第１筐体）、３２…冷却ユニット（冷却手段）、３６…板ばね（付勢板）、３７…ねじ（取付部材）、４０…凹部、４１，４２…開口、４４，４５…側面部（当接部）、４６（４６Ｒ，４６Ｌ）…ピン（第１ピン）、４７（４７Ｒ，４７Ｌ）…起立部、４８（４８Ｒ，４８Ｌ）…ピン（第２ピン）、５４…孔部、５５（５５Ｒ，５５Ｌ）…孔部、５６（５６Ｒ，５６Ｌ）…切欠、５９…端子（係合部）、６０…凹部、６１，６２…開口（孔部）、６５…起立部（係合部）、６６（６６Ｒ，６６Ｌ）…孔部、６７（６７Ｒ，６７Ｌ）…切欠、２２Ａ…開口、３２９…位置決めピン、４０１…ピン挿入口、４１２，４２２…（孔部）、２２６１，２２６２…嵌合穴、３２５２１…ねじ孔（係止部）、Ｓ０１…冷却ユニット位置決め工程（冷却手段位置決め工程）、Ｓ０２…制御基板位置決め工程（基板位置決め工程）、Ｓ０３…サブフレーム位置決め工程（第２フレーム位置決め工程）、Ｓ０４…冷却ユニット取付工程（冷却手段取付工程）、Ｓ０５…ユニット反転工程（第１フレーム反転手順，第１フレーム位置決め工程）、Ｓ０６…下部筐体被覆工程（第１筐体被覆手順，第１フレーム位置決め工程）、Ｓ１２…上部筐体取付工程（第２筐体取付工程）。
【図１】
2008077435.tif 000003
【図２】
2008077435.tif 000004
【図３】
2008077435.tif 000005
【図４】
2008077435.tif 000006
【図５】
2008077435.tif 000007
【図６】
2008077435.tif 000008
【図７】
2008077435.tif 000009
【図８】
2008077435.tif 000010
【図９】
2008077435.tif 000011
【図１０】
2008077435.tif 000012
【図１１】
2008077435.tif 000013
【図１２】
2008077435.tif 000014
【図１３】
2008077435.tif 000015
【図１４】
2008077435.tif 000016
【図１５】
2008077435.tif 000017
【図１６】
2008077435.tif 000018
【図１７】
2008077435.tif 000019
【図１８】
2008077435.tif 000020
【図１９】
2008077435.tif 000021
【図２０】
2008077435.tif 000022
【図２１】
2008077435.tif 000023
【図２２】
2008077435.tif 000024
【図２３】
2008077435.tif 000025
【図２４】
2008077435.tif 000026
【図２５】
2008077435.tif 000027
【図２６】
2008077435.tif 000028
【図２７】
2008077435.tif 000029
【図２８】
2008077435.tif 000030
【図２９】
2008077435.tif 000031
【図３０】
2008077435.tif 000032
【図３１】
2008077435.tif 000033